(57)【要約】【課題】傾斜した屋根に施工された屋根瓦に取り付けるとともに、太陽電池モジュールを支持するための連結金具と、該連結金具に支持される太陽電池モジュールにおいて、太陽電池モジュールの施工を容易とすることができるものを提供する。【解決手段】連結金具１０１は、太陽電池モジュールのケーブルのコネクタを固定するための係止部３６０、３７０が設けられ、アース端子を固定するための係止部３０２、３０４が設けられている。また、太陽電池モジュールにおいては、第１ケーブルは、第２ケーブルよりも長く形成され、第１ケーブルは、一対の短辺部における近い側の短辺部である第１短辺部側に導いた場合に、該第１短辺部の外側の端部から突出する長さを有し、桁方向に隣接する太陽電池モジュールの連結金具に第１ケーブルのコネクタを取り付け、流れ方向には、長辺部の向きを交互に逆として施工するものとする。【選択図】図１
2014070346.tif 000002
【特許請求の範囲】
【請求項１】
屋根瓦に取り付けるとともに、太陽電池モジュールを支持するための太陽電池モジュール設置用連結具であって、
略長方形状の外形を有する底板部で、屋根瓦に係止するための係止部を有する底板部と、
底板部の一対の長辺部から立設した長辺側側壁部で、底板部の各長辺部から立設した側板部を有し、
一対の側板部のうちの少なくとも一方において、上側に切欠部が形成され、該切欠部内に横方向の辺部である第１辺部が設けられるとともに、第１辺部から下方に形成された切欠部であるコネクタ用切欠部が設けられ、
側板部の第１辺部から外側に側板部に対して略直角に突出して形成された板状部で、コネクタ用切欠部の横方向の一方の端部位置に端部を有する第１板状部と、コネクタ用切欠部の横方向の他方の端部位置に端部を有する第２板状部とを有する板状部と、
第１板状部から第２板状部側に突出した第１突出部と、
第２板状部から第１板状部側に突出した第２突出部で、その先端が第１突出部と間隔を介して設けられた第２突出部と、
を有する長辺側側壁部と、
底板部の一対の短辺部から立設した短辺側側壁部で、太陽電池モジュールに係止するための係止部が外側に突出して設けられた短辺側側壁部と、
を有し、
太陽電池モジュールのケーブルの先端に設けられたコネクタで、その側面の両側に凹部が設けられたコネクタを第１突出部を一方の凹部に挿入するとともに第２突出部を他方の凹部に挿入した状態とすることにより、コネクタが第１突出部と第２突出部間に固定されることを特徴とする太陽電池モジュール設置用連結具。
【請求項２】
屋根瓦に取り付けるとともに、太陽電池モジュールを支持するための太陽電池モジュール設置用連結具であって、
略長方形状の外形を有する底板部で、屋根瓦に係止するための係止部を有する底板部と、
底板部の一対の長辺部から立設した長辺側側壁部で、底板部の各長辺部から立設した側板部を有し、
一対の側板部のうちの少なくとも一方において、上側に切欠部が形成され、該切欠部内に横方向の辺部である第１辺部が設けられるとともに、第１辺部から下方に形成された切欠部であるアース端子用切欠部が設けられ、
側板部の第１辺部から外側に側板部に対して略直角に突出して形成された板状部で、アース端子用切欠部から連設した隙間を介して一方の側に設けられた第１板状部と他方の側に設けられた第２板状部とを有する板状部と、
側板部における該第２切欠部の底部から形成された突状部で、板状部と略平行で板状部よりも下方位置に形成された横方向部を有する突状部と、
を有する長辺側側壁部と、
底板部の一対の短辺部から立設した短辺側側壁部で、太陽電池モジュールに係止するための係止部が外側に突出して設けられた短辺側側壁部と、
を有し、
太陽電池モジュール設置用連結具が金属製であり、
第１板状部の第２板状部側の端部及び第２板状部の第１板状部側の端部と突状部の横方向部間にアース端子を差し込むことにより、第１板状部及び第２板状部と横方向部間にアース端子が固定されることを特徴とする太陽電池モジュール設置用連結具。
【請求項３】
突状部が、第２切欠部の底部から上方に形成されるとともに、横方向部の内側の連設された縦方向部を有し、横方向部が、縦方向部から連設された第１横方向部と、第１横方向部の縦方向部側とは反対側に設けられ、第１横方向部よりも上方に形成された第２横方向部と、第１横方向部と第２横方向部間に設けられた接続部とを有することを特徴とする請求項２に記載の太陽電池モジュール設置用連結具。
【請求項４】
屋根瓦に取り付けられた連結具に取り付ける太陽電池モジュールであって、
略長方形状の板状を呈し、太陽電池を有するモジュール本体と、
モジュール本体の外周に設けられ、第１長辺部と第２長辺部からなる一対の長辺部と、第１短辺部と第２短辺部とからなる一対の短辺部とで枠状に形成されたフレームで、長辺部及び短辺部に設けられ、モジュール本体を支持する支持部と、長辺部に設けられ、連結具に係止する連結具係止部とを有するフレームと、
モジュール本体の下面に設けられた端子箱と、
端子箱に接続された第１ケーブルと、
端子箱に接続された第２ケーブルと、
第１ケーブルの先端に設けられた第１コネクタと、
第２ケーブルの先端に設けられた第２コネクタと、
を有し、
第１ケーブルは、第２ケーブルよりも長く形成され、第１ケーブルは、一対の短辺部における近い側の短辺部である第１短辺部側に導いた場合に、該第１短辺部の外側の端部から突出する長さを有するとともに、
屋根瓦が桁方向に連設されるとともに、流れ方向に隣接する屋根瓦は桁方向に屋根瓦の働き幅の１／２ずれて施工された屋根瓦に連結具を取り付けて該連結具に連結具係止具を係止して太陽電池モジュールを連結具に取り付けた場合に、流れ方向に施工する複数の太陽電池モジュールの短辺部の桁方向の位置を揃えるとともに、流れ方向に施工する複数の太陽電池モジュールについて、一対の長辺部の一方である第１長辺部と他方である第２長辺部とが流れ方向に交互に棟側となるように施工した際に、第１ケーブルは、第１短辺部側に隣接する太陽電池モジュールである第１隣接太陽電池モジュールで、該第１隣接太陽電池モジュールが取り付けられる連結具で最も第１短辺部の近くに取付け可能な連結具である第１近接連結具に第１コネクタを取付け可能な長さを有し、
さらに、第２ケーブルは、第２コネクタが、第２短辺部側に隣接する太陽電池モジュールの第１コネクタで、第２短辺部の最も近くに取付け可能な連結具である第２近接連結具に取り付けられた第１コネクタに接続可能な長さを有することを特徴とする太陽電池モジュール。
【請求項５】
屋根瓦に取り付けられた連結具に取り付ける太陽電池モジュールの施工方法であって、
太陽電池モジュールが、
略長方形状の板状を呈し、太陽電池を有するモジュール本体と、
モジュール本体の外周に設けられ、第１長辺部と第２長辺部からなる一対の長辺部と、第１短辺部と第２短辺部とからなる一対の短辺部とで枠状に形成されたフレームで、長辺部及び短辺部に設けられ、モジュール本体を支持する支持部と、長辺部に設けられ、連結具に係止する連結具係止部とを有するフレームと、
モジュール本体の下面に設けられた端子箱と、
端子箱に接続された第１ケーブルと、
端子箱に接続された第２ケーブルと、
第１ケーブルの先端に設けられた第１コネクタと、
第２ケーブルの先端に設けられた第２コネクタと、
を有し、
第１ケーブルは、第２ケーブルよりも長く形成され、第１ケーブルは、一対の短辺部における近い側の短辺部である第１短辺部側に導いた場合に、該第１短辺部の外側の端部から突出する長さを有し、
屋根瓦が桁方向に連設されるとともに、流れ方向に隣接する屋根瓦は桁方向に屋根瓦の働き幅の１／２ずれて施工された複数の屋根瓦の各屋根瓦に連結具を取り付けた状態で、桁方向に全ての連結具がいずれかの太陽電池モジュールに取り付けられるように太陽電池モジュールを連結具に取り付けて施工し、流れ方向に施工する複数の太陽電池モジュールについて、一対の長辺部の一方である第１長辺部と他方である第２長辺部とが流れ方向に交互に棟側となるように施工し、第１短辺部と第２短辺部に最も近い連結具との距離と第２短辺部と第２短辺部に最も近い連結具との距離が同一となる位置に対して、流れ方向に隣接する太陽電池モジュールにおいて、互いに逆方向に屋根瓦の働き幅の１／４ずらした状態で施工することを特徴とする太陽電池モジュールの施工方法。
【発明の詳細な説明】
【技術分野】
【０００１】
本発明は、傾斜した屋根に施工された屋根瓦に取り付けるとともに、太陽電池モジュールを支持するための連結金具と、該連結金具に支持される太陽電池モジュールに関するものである。
【背景技術】
【０００２】
従来より、傾斜した屋根に施工された屋根瓦に取り付けるとともに、太陽電池モジュールを支持するための連結金具として、特許文献１に示される連結金具のように、ケーブル押えを設けることにより、太陽電池モジュールのケーブルを該ケーブル押えに把持させておくことにより作業員の作業環境をよくする点が開示されている。
【０００３】
また、従来より、傾斜した屋根に施工された屋根瓦に取り付けるとともに、太陽電池モジュールを支持するための連結金具として、特許文献２に示される太陽電池システムにおいては、行方向に隣り合う太陽電池パネルの間の隙間を覆い、電気的に接続するための保護板（化粧板）を設けるとともに、列方向に隣接する太陽電池パネルについては、アースケーブルを接続された圧着端子を太陽電池パネルのフレームの端部に嵌め込む点が開示されている。
【０００４】
また、従来より、太陽電池パネルの配線に際して、特許文献２においては、接続ケーブルの各コネクタを太陽電池パネルの端子箱に接続しながら、太陽電池パネルを屋根に取り付け、その後、瓦上に配線された接続ケーブルと太陽電池パネルとの結線を行なう点が開示されている。
【先行技術文献】
【特許文献】
【０００５】
【特許文献１】特開２００６−１２５０８４号公報
【特許文献２】特開２００６−５７３２１号公報
【発明の概要】
【発明が解決しようとする課題】
【０００６】
しかし、特許文献１においては、ケーブルをケーブル押えで把持するので、ケーブルを引っ張るとケーブル押えによりケーブルの被覆部が損傷するおそれがあり、ケーブルの扱いを慎重にしなければならず、その点で、太陽電池モジュールの施工が容易でないという問題があった。また、ケーブルの先端に設けられたコネクタを接続する際に、ケーブルをケーブル押えに把持させたとしても、コネクタの位置が定まっていないので、コネクタが太陽電池モジュールの裏面と接して干渉してしまうおそれがあり、その点でも、太陽電池モジュールの施工が容易でないという問題があった。
【０００７】
また、特許文献２においては、桁方向に隣り合う太陽電池パネルの間の隙間を覆い、電気的に接続するための保護板（化粧板）を設けるとともに、列方向に隣接する太陽電池パネルについては、アースケーブルを接続された圧着端子を太陽電池パネルのフレームの端部に嵌め込むので、アースの施工が容易でなく、その点で、太陽電池パネルの施工が容易でないという問題があった。
【０００８】
また、特許文献３においては、接続ケーブルの各コネクタを太陽電池パネルの端子箱に接続しながら、太陽電池パネルを屋根に取り付け、その後、瓦上に配線された接続ケーブルと太陽電池パネルとの結線を行なうので、ケーブルの配線が容易でなく、その点で、太陽電池パネルの施工が容易でないという問題があった。
【０００９】
そこで、傾斜した屋根に施工された屋根瓦に取り付けるとともに、太陽電池モジュールを支持するための連結金具と、該連結金具に支持される太陽電池モジュールと、太陽電池モジュールの施工方法において、太陽電池モジュールの施工を容易とすることができるものを提供することを目的とするものである。すなわち、ケーブル損傷のおそれがなく、また、コネクタを位置の定めることによりコネクタが太陽電池モジュールと干渉するおそれをなくして、太陽電池モジュールの施工を容易とする連結金具を提供し、アースの施工を容易とすることにより、太陽電池モジュールの施工を容易とする連結金具を提供し、ケーブルの配線を容易とすることにより、太陽電池モジュールの施工を容易とすることができる太陽電池モジュールと太陽電池モジュールの施工方法を提供することを目的とするものである。
【課題を解決するための手段】
【００１０】
本発明は上記問題点を解決するために創作されたものであって、第１には、屋根瓦に取り付けるとともに、太陽電池モジュールを支持するための太陽電池モジュール設置用連結具であって、略長方形状の外形を有する底板部で、屋根瓦に係止するための係止部を有する底板部と、底板部の一対の長辺部から立設した長辺側側壁部で、底板部の各長辺部から立設した側板部を有し、一対の側板部のうちの少なくとも一方において、上側に切欠部が形成され、該切欠部内に横方向の辺部である第１辺部が設けられるとともに、第１辺部から下方に形成された切欠部であるコネクタ用切欠部が設けられ、側板部の第１辺部から外側に側板部に対して略直角に突出して形成された板状部で、コネクタ用切欠部の横方向の一方の端部位置に端部を有する第１板状部と、コネクタ用切欠部の横方向の他方の端部位置に端部を有する第２板状部とを有する板状部と、第１板状部から第２板状部側に突出した第１突出部と、第２板状部から第１板状部側に突出した第２突出部で、その先端が第１突出部と間隔を介して設けられた第２突出部と、を有する長辺側側壁部と、底板部の一対の短辺部から立設した短辺側側壁部で、太陽電池モジュールに係止するための係止部が外側に突出して設けられた短辺側側壁部と、を有し、太陽電池モジュールのケーブルの先端に設けられたコネクタで、その側面の両側に凹部が設けられたコネクタを第１突出部を一方の凹部に挿入するとともに第２突出部を他方の凹部に挿入した状態とすることにより、コネクタが第１突出部と第２突出部間に固定されることを特徴とする。
【００１１】
第１の構成の連結具においては、太陽電池モジュールのケーブルに取り付けられたコネクタを連結具に取り付けることができ、コネクタを連結具の予め決められた位置に固定できるので、コネクタを固定しておくことにより、他方のコネクタの接続を容易とすることができ、太陽電池モジュールを容易に施工することができる。
【００１２】
また、ケーブルを固定する構成ではないので、ケーブルを破損することがない。また、コネクタを第１突出部及び第２突出部に固定した状態で、太陽電池モジュールに接触しないようにすることにより、コネクタが太陽電池モジュールを施工する際の支障となることがない。
【００１３】
また、上記第１の構成において、第１突出部が、第１板状部から連設された帯板状を呈し、第２突出部が、第２板状部から連設された帯板状を呈することを特徴とするものとしてもよい。
【００１４】
また、第２には、屋根瓦に取り付けるとともに、太陽電池モジュールを支持するための太陽電池モジュール設置用連結具であって、略長方形状の外形を有する底板部で、屋根瓦に係止するための係止部を有する底板部と、底板部の一対の長辺部から立設した長辺側側壁部で、底板部の各長辺部から立設した側板部を有し、一対の側板部のうちの少なくとも一方において、上側に切欠部が形成され、該切欠部内に横方向の辺部である第１辺部が設けられるとともに、第１辺部から下方に形成された切欠部であるアース端子用切欠部が設けられ、側板部の第１辺部から外側に側板部に対して略直角に突出して形成された板状部で、アース端子用切欠部から連設した隙間を介して一方の側に設けられた第１板状部と他方の側に設けられた第２板状部とを有する板状部と、側板部における該第２切欠部の底部から形成された突状部で、板状部と略平行で板状部よりも下方位置に形成された横方向部を有する突状部と、を有する長辺側側壁部と、底板部の一対の短辺部から立設した短辺側側壁部で、太陽電池モジュールに係止するための係止部が外側に突出して設けられた短辺側側壁部と、を有し、太陽電池モジュール設置用連結具が金属製であり、第１板状部の第２板状部側の端部及び第２板状部の第１板状部側の端部と突状部の横方向部間にアース端子を差し込むことにより、第１板状部及び第２板状部と横方向部間にアース端子が固定されることを特徴とする。
【００１５】
第２の構成の連結具によれば、第１板状部の第２板状部側の端部及び第２板状部の第１板状部側の端部と突状部の横方向部間にアース端子を差し込むことにより、アース端子を固定することができるので、アース線を容易に取り付けることができ、結果として、太陽電池モジュールを容易に施工することができる。
【００１６】
また、第３には、上記第２の構成において、突状部が、第２切欠部の底部から上方に形成されるとともに、横方向部の内側の連設された縦方向部を有し、横方向部が、縦方向部から連設された第１横方向部と、第１横方向部の縦方向部側とは反対側に設けられ、第１横方向部よりも上方に形成された第２横方向部と、第１横方向部と第２横方向部間に設けられた接続部とを有することを特徴とする。よって、接続部と第２横方向部により、アース端子が容易に外れるのを防止することができる。
【００１７】
また、第４には、屋根瓦に取り付けられた連結具に取り付ける太陽電池モジュールであって、略長方形状の板状を呈し、太陽電池を有するモジュール本体と、モジュール本体の外周に設けられ、第１長辺部と第２長辺部からなる一対の長辺部と、第１短辺部と第２短辺部とからなる一対の短辺部とで枠状に形成されたフレームで、長辺部及び短辺部に設けられ、モジュール本体を支持する支持部と、長辺部に設けられ、連結具に係止する連結具係止部とを有するフレームと、モジュール本体の下面に設けられた端子箱と、端子箱に接続された第１ケーブルと、端子箱に接続された第２ケーブルと、第１ケーブルの先端に設けられた第１コネクタと、第２ケーブルの先端に設けられた第２コネクタと、を有し、第１ケーブルは、第２ケーブルよりも長く形成され、第１ケーブルは、一対の短辺部における近い側の短辺部である第１短辺部側に導いた場合に、該第１短辺部の外側の端部から突出する長さを有するとともに、屋根瓦が桁方向に連設されるとともに、流れ方向に隣接する屋根瓦は桁方向に屋根瓦の働き幅の１／２ずれて施工された屋根瓦に連結具を取り付けて該連結具に連結具係止具を係止して太陽電池モジュールを連結具に取り付けた場合に、流れ方向に施工する複数の太陽電池モジュールの短辺部の桁方向の位置を揃えるとともに、流れ方向に施工する複数の太陽電池モジュールについて、一対の長辺部の一方である第１長辺部と他方である第２長辺部とが流れ方向に交互に棟側となるように施工した際に、第１ケーブルは、第１短辺部側に隣接する太陽電池モジュールである第１隣接太陽電池モジュールで、該第１隣接太陽電池モジュールが取り付けられる連結具で最も第１短辺部の近くに取付け可能な連結具である第１近接連結具に第１コネクタを取付け可能な長さを有し、さらに、第２ケーブルは、第２コネクタが、第２短辺部側に隣接する太陽電池モジュールの第１コネクタで、第２短辺部の最も近くに取付け可能な連結具である第２近接連結具に取り付けられた第１コネクタに接続可能な長さを有することを特徴とする。
【００１８】
第４の構成の太陽電池モジュールによれば、第１ケーブルが、太陽電池モジュールの第１短辺部からはみ出るので、第１ケーブルの先端の第１コネクタを隣接する太陽電池モジュールの連結具に取り付けた後に、該隣接する太陽電池モジュールの第２コネクタを第１コネクタと接続する作業を繰り返しながら、第１コネクタの方向の桁方向に施工していくので、第１ケーブル、第２ケーブルの配線が容易となり、太陽電池モジュールを容易に施工することができる。
【００１９】
また、流れ方向に隣接する太陽電池モジュールの短辺部の桁方向の位置を揃えることができ、複数の太陽電池モジュールを施工した際に見栄えをよくすることができ、また、太陽電池モジュールを施工する際に、短辺部の桁方向の位置を揃えればよいので、その点でも、太陽電池モジュールを容易に施工することができる。
【００２０】
また、余分な長さのケーブルが存在しない、または、なるべく少なくできるので、その点でも、太陽電池モジュールを容易に施工することができる。
【００２１】
なお、上記第４の構成において、第１ケーブルは、さらに、第１近接連結具に取り付けられた第１コネクタが第１隣接太陽電池モジュールの第２コネクタと接続可能な長さを有するものとしてもよい。
【００２２】
また、第５には、屋根瓦に取り付けられた連結具に取り付ける太陽電池モジュールの施工方法であって、太陽電池モジュールが、略長方形状の板状を呈し、太陽電池を有するモジュール本体と、モジュール本体の外周に設けられ、第１長辺部と第２長辺部からなる一対の長辺部と、第１短辺部と第２短辺部とからなる一対の短辺部とで枠状に形成されたフレームで、長辺部及び短辺部に設けられ、モジュール本体を支持する支持部と、長辺部に設けられ、連結具に係止する連結具係止部とを有するフレームと、モジュール本体の下面に設けられた端子箱と、端子箱に接続された第１ケーブルと、端子箱に接続された第２ケーブルと、第１ケーブルの先端に設けられた第１コネクタと、第２ケーブルの先端に設けられた第２コネクタと、を有し、第１ケーブルは、第２ケーブルよりも長く形成され、第１ケーブルは、一対の短辺部における近い側の短辺部である第１短辺部側に導いた場合に、該第１短辺部の外側の端部から突出する長さを有し、屋根瓦が桁方向に連設されるとともに、流れ方向に隣接する屋根瓦は桁方向に屋根瓦の働き幅の１／２ずれて施工された複数の屋根瓦の各屋根瓦に連結具を取り付けた状態で、桁方向に全ての連結具がいずれかの太陽電池モジュールに取り付けられるように太陽電池モジュールを連結具に取り付けて施工し、流れ方向に施工する複数の太陽電池モジュールについて、一対の長辺部の一方である第１長辺部と他方である第２長辺部とが流れ方向に交互に棟側となるように施工し、第１短辺部と第２短辺部に最も近い連結具との距離と第２短辺部と第２短辺部に最も近い連結具との距離が同一となる位置に対して、流れ方向に隣接する太陽電池モジュールにおいて、互いに逆方向に屋根瓦の働き幅の１／４ずらした状態で施工することを特徴とする。
【００２３】
第５の構成の太陽電池モジュールの施工方法によれば、流れ方向に隣接する太陽電池モジュールの短辺部の桁方向の位置を揃えることができ、複数の太陽電池モジュールを施工した際に見栄えをよくすることができ、また、太陽電池モジュールを施工する際に、短辺部の桁方向の位置を揃えればよいので、その点でも、太陽電池モジュールを容易に施工することができる。なお、上記各構成において、「連結具」を「連結金具」としてもよい。
【発明の効果】
【００２４】
本発明に基づく太陽電池モジュール設置用連結具によれば、太陽電池モジュールを容易に施工することができる。すなわち、太陽電池モジュールのケーブルに取り付けられたコネクタを連結具に取り付けることができ、コネクタを連結具の予め決められた位置に固定できるので、コネクタを固定しておくことにより、他方のコネクタの接続を容易とすることができ、太陽電池モジュールを容易に施工することができる。また、第１板状部の第２板状部側の端部及び第２板状部の第１板状部側の端部と突状部の横方向部間にアース端子を差し込むことにより、アース端子を固定することができるので、アース線を容易に取り付けることができ、結果として、太陽電池モジュールを容易に施工することができる。
【００２５】
また、本発明に基づく太陽電池モジュールによれば、太陽電池モジュールを容易に施工することができる。すなわち、第１ケーブルが、太陽電池モジュールの第１短辺部からはみ出るので、第１ケーブルの先端の第１コネクタを隣接する太陽電池モジュールの連結具に取り付けた後に、該隣接する太陽電池モジュールの第２コネクタを第１コネクタと接続する作業を繰り返しながら、第１コネクタの方向の桁方向に施工していくので、第１ケーブル、第２ケーブルの配線が容易となり、太陽電池モジュールを容易に施工することができる。また、流れ方向に隣接する太陽電池モジュールの短辺部の桁方向の位置を揃えることができ、複数の太陽電池モジュールを施工した際に見栄えをよくすることができ、また、太陽電池モジュールを施工する際に、短辺部の桁方向の位置を揃えればよいので、その点でも、太陽電池モジュールを容易に施工することができる。また、余分な長さのケーブルが存在しない、または、なるべく少なくできるので、その点でも、太陽電池モジュールを容易に施工することができる。
【００２６】
また、本発明に基づく太陽電池モジュールの施工方法によれば、太陽電池モジュールを容易に施工することができる。すなわち、流れ方向に隣接する太陽電池モジュールの短辺部の桁方向の位置を揃えることができ、複数の太陽電池モジュールを施工した際に見栄えをよくすることができ、また、太陽電池モジュールを施工する際に、短辺部の桁方向の位置を揃えればよいので、その点でも、太陽電池モジュールを容易に施工することができる。
【図面の簡単な説明】
【００２７】
【図１】連結金具の斜視図である。
【図２】連結金具を示す図であり、（ａ）は平面図であり、（ｂ）は右側面図であり、（ｃ）は正面図であり、（ｄ）は背面図であり、（ｅ）と（ｆ）は（ｂ）における部分拡大図である。
【図３】連結金具の底面図である。
【図４】連結金具にコネクタを取り付けた状態を示す要部斜視図である。
【図５】コネクタ（雌コネクタ）の斜視図である。
【図６】コネクタ（雌コネクタ）の断面図であり、（ａ）は、図５のＣ−Ｃ断面図であり、（ｂ）は、（ａ）において突出部に係止した状態の断面図である。
【図７】コネクタ（雄コネクタ）の斜視図である。
【図８】連結金具にアース端子を取り付ける取付け方法を示す要部斜視図である。
【図９】連結金具にアース端子を取り付けた状態を示す要部斜視図である。
【図１０】アース端子を係止する係止部の他の例を示す要部平面図である。
【図１１】太陽電池モジュールの上方斜視図である。
【図１２】太陽電池モジュールの下方斜視図である。
【図１３】太陽電池モジュールの底面図である。
【図１４】図１１のＢ−Ｂ断面図である。
【図１５】屋根瓦の上方斜視図である。
【図１６】屋根瓦の下方斜視図である。
【図１７】屋根瓦を示す図であり、（ａ）は平面図であり、（ｂ）は正面図であり、（ｃ）は左側面図であり、（ｄ）は右側面図である。
【図１８】図１５のＡ−Ａ断面図である。
【図１９】屋根瓦を屋根面に施工した状態を示す斜視図である。
【図２０】連結金具の屋根瓦への取付け工程を示す断面図である。
【図２１】連結金具を屋根瓦に取り付けた状態を示す斜視図である。
【図２２】太陽電池モジュールの連結金具への取付け工程を示す断面図である。
【図２３】太陽電池モジュールの施工状態を示す平面図である。
【図２４】太陽電池モジュールの施工状態を示す説明図である。
【図２５】比較例の太陽電池モジュールを屋根面に施工した状態を示す斜視図である。
【発明を実施するための形態】
【００２８】
本発明においては、傾斜した屋根に施工された屋根瓦に取り付けるとともに、太陽電池モジュールを支持するための連結金具と、該連結金具に支持される太陽電池モジュールと、太陽電池モジュールの施工方法において、太陽電池モジュールの施工を容易とすることができるものを提供するという目的を以下のようにして実現した。
【００２９】
本発明に基づく太陽電池を屋根面へ取り付けるための取付け構造体（太陽電池取付け構造体）Ｐ（図２２、図２３参照）は、屋根瓦（太陽電池モジュール設置用屋根瓦）１と、屋根瓦１に取り付けられ、太陽電池モジュール２０１を支持する連結金具（太陽電池モジュール設置用連結金具）１０１と、連結金具１０１に取り付けられる太陽電池モジュール２０１とを有している。
【００３０】
連結金具（連結具、太陽電池モジュール設置用連結具）１０１は、図１〜図３に示すように構成され、金属製であり、特に、弾性を有する１枚の板状の鋼材（例えば、ステンレス製のバネ鋼材）により形成されている。つまり、連結金具１０１は、１枚の板状の鋼材を所定形状に形成し、折曲げ等の加工を行なうことにより形成したものである。
【００３１】
すなわち、連結金具１０１は、底面部１１０と、底面部１１０の右側面側の辺部から立設する側壁部（長辺側側壁部、第１側壁部）１２０と、底面部１１０の左側面側の辺部から立設する側壁部（長辺側側壁部、第２側壁部）１３０と、底面部１１０の正面側の辺部から立設する側壁部（短辺側側壁部、第３側壁部）１４０と、底面部１１０の背面側の辺部から立設する側壁部（短辺側側壁部、第４側壁部）１５０とを有している。
【００３２】
ここで、底面部１１０は、長方形状（略長方形状としてもよい）の外形を有する底板部１１１と、底板部１１１における開口部１１２ｂの辺部から正面側に向けて連設された弾性部１１４と、底板部１１１における開口部１１２ｃの辺部から背面側に向けて連設された弾性部１１６とを有している。
【００３３】
ここで、底板部１１１は、底板部１１１の略中央に設けられた方形状の開口部１１２ａと、開口部１１２ａの正面側に開口部１１２ａと間隔を介して設けられた略台形形状の開口部１１２ｂと、開口部１１２ａの背面側に開口部１１２ａと間隔を介して設けられた略台形形状の開口部１１２ｃとを有している。
【００３４】
弾性部１１４（舌片状弾性部１１４としてもよい）は、開口部１１２ｂにおける背面側の辺部から連設された弾性部本体１１４ａと、弾性部本体１１４ａの先端から連設された先端部（嵌合部）１１４ｂとを有している。弾性部１１４は、開口部１１２ａの正面方向の位置に設けられている。
【００３５】
弾性部本体１１４ａは、略台形形状（舌片状）の板状を呈し、先端にいくほど幅狭に形成され、底板部１１１に対して下方に折曲して形成されている。つまり、弾性部本体１１４ａは、側面視において、底板部１１１に対して鋭角である角度α１をなしている。弾性部本体１１４ａは、板状の鋼材（弾性を有する部材）で形成されているので、弾性を有している。弾性部本体１１４ａにおける基端から先端への方向は、底板部１１１の長手方向となっている。
【００３６】
また、先端部１１４ｂは、長方形状の板状を呈し、弾性部本体１１４ａの先端から下方に突出して形成され、弾性部本体１１４ａに対して直角（略直角としてもよい）をなしている。つまり、先端部１１４ｂは、弾性部本体１１４ａに対して屈曲して形成されている。先端部１１４ｂは、左右方向に形成されている。以上のように、弾性部１１４は、板状部材を折曲げ形成してなり、側面視（特に、右側面視）において、略Ｌ字状を呈している。先端部１１４ｂは、溝部１８ｆに嵌合する大きさに形成され、先端部１１４ｂの左右方向の長さは、溝部１８ｆの長さと同一又は溝部１８ｆの長さよりも若干短く形成されるとともに、先端部１１４ｂの厚みは、溝部１８ｆに嵌合する厚み（少なくとも溝部１８ｆの幅以下の厚み）に形成されている。
【００３７】
また、弾性部１１６（舌片状弾性部１１６としてもよい）は、開口部１１２ｃにおける正面側の辺部から連設され、弾性部１１４と対称（前後対称）に形成されている。すなわち、弾性部１１６は、開口部１１２ｃにおける正面側の辺部から連設された弾性部本体１１６ａと、弾性部本体１１６ａの先端から連設された先端部（嵌合部）１１６ｂとを有している。弾性部１１６は、開口部１１２ａの背面方向の位置に設けられている。
【００３８】
弾性部本体１１６ａは、略台形形状（舌片状）の板状を呈し、先端にいくほど幅狭に形成され、底板部１１１に対して下方に折曲して形成されている。つまり、弾性部本体１１６ａは、側面視において、底板部１１１に対して鋭角である角度α２をなしている。弾性部本体１１６ａは、板状の鋼材（弾性を有する部材）で形成されているので、弾性を有している。弾性部本体１１６ａにおける基端から先端への方向は、底板部１１１の長手方向となっている。
【００３９】
また、先端部１１６ｂは、長方形状の板状を呈し、弾性部本体１１６ａの先端から下方に突出して形成され、弾性部本体１１６ａに対して直角（略直角としてもよい）をなしている。つまり、先端部１１６ｂは、弾性部本体１１６ａに対して屈曲して形成されている。先端部１１６ｂは、左右方向に形成されている。先端部１１６ｂは、溝部２０ｆに嵌合する大きさに形成され、先端部１１６ｂの左右方向の長さは、溝部２０ｆの長さと同一又は溝部２０ｆの長さよりも若干短く形成されるとともに、先端部１１６ｂの厚みは、溝部２０ｆに嵌合する厚み（少なくとも溝部２０ｆの幅以下の厚み）に形成されている。以上のように、弾性部１１６は、板状部材を折曲げ形成してなり、側面視（特に、右側面視）において、略逆Ｌ字状を呈している。
【００４０】
この底面部１１０は、長方形状の板状部材に対して、開口部１１２ａを形成するとともに、開口部１１２ａの正面側と背面側に略コ字状の開口部を形成して、該略コ字状の開口部の内側の領域を弾性部１１４、１１６として折り曲げることにより形成される。つまり、弾性部１１４、１１６は、底面部１１０を切り欠いて形成されている。
【００４１】
また、側壁部１２０は、底面部１１０の右側面側の辺部から立設して形成された側板部１２１と、側板部１２１における切欠部を構成する辺部１２１ｆ−１、１２１ｆ−２、１２１ｆ−３に沿って連設され、該辺部から外側（右側面側）に突出して形成された帯板部１２２と、帯板部１２２（具体的には、帯板部１２２ａ）の正面側の辺部から連設され、正面側に向けて下方に傾斜した傾斜板部１２４と、側板部１２１の上辺（正面側の上辺）から連設され、外側（右側面側）に突出して形成された受け板部１２６と、側板部１２１の上辺（背面側の上辺）から連設され、外側（右側面側）に突出して形成された受け板部１２８とを有している。辺部１２１ｆ−１、１２１ｆ−２、１２１ｆ−３が、第１辺部となる。
【００４２】
ここで、側板部１２１は、長方形状の板状部材に対して上側に切欠部１２１Ｋを形成した形状を呈し、該切欠部１２１Ｋは、側板部１２１の上辺の正面側から縦方向（底板部１１１の上面（水平面）に対して直角方向）に形成された辺部１２１ａと、該辺部１２１ａの下端から背面側に横方向（底板部１１１の上面に対して平行な方向）に形成された辺部１２１ｂと、該辺部１２１ｂの背面側の端部から下方に縦方向に形成された辺部１２１ｃと、該辺部１２１ｃの下端から背面側に横方向に形成された辺部１２１ｄと、該辺部１２１ｄの背面側の端部から上方に縦方向に形成された辺部１２１ｅと、該辺部１２１ｅの上端から背面側に横方向に形成された辺部１２１ｆ−１と、辺部１２１ｆ−１の背面側の端部から形成され、略Ｕ字状の辺部１２１ｇ（つまり、突出部３１０を無視すると、一対の縦方向辺部と一対の縦方向辺部間に形成された横方向辺部とからなる略Ｕ字状を呈している）と、辺部１２１ｇの背面側の端部から背面側に横方向に形成された辺部１２１ｆ−２と、辺部１２１ｆ−２の背面側の端部から形成され、横長略Ｕ字状の辺部１２１ｈ（つまり、辺部１２１ｈは、一対の縦方向辺部１２１ｈ−１、１２１ｈ−３と、一対の縦方向辺部１２１ｈ−１、１２１ｈ−３間に形成された横方向辺部１２１ｈ−２とを有している）と、辺部１２１ｈの背面側の端部から背面側に横方向に形成された辺部１２１ｆ−３と、辺部１２１ｆ−３の背面側の端部から背面側に向けて上方に傾斜する辺部１２１ｉとから形成されている。これにより、側板部１２１の上端においては、正面側に、辺部１２１ａと辺部１２１ｂにより凹部１２１−１が形成され、さらに、辺部１２１ｃと辺部１２１ｄと辺部１２１ｅにより該凹部１２１−１よりも下方に突出した凹部１２１−２が形成されている。また、辺部１２１ｇにより形成された切欠部１２１−３と、辺部１２１ｈにより形成された切欠部（コネクタ用切欠部）１２１−４とを有している。
【００４３】
帯板部１２２は、辺部１２１ｆ−１に沿って外側に突出して形成された帯板部１２２ａと、辺部１２１ｆ−２に沿って外側に突出して形成されるとともに背面側に突出する突出部３６２を有する帯板部１２２ｂと、辺部１２１ｆ−３に沿って外側に突出して形成されるとともに正面側に突出する突出部３６４を有する帯板部１２２ｃとを有している。帯板部１２２ａ、１２２ｂ、１２２ｃはともに長方形状を呈している。帯板部１２２ａと帯板部１２２ｂと帯板部１２２ｃとは、同一平面状に形成され、帯板部１２２ａの延長線上に帯板部１２２ｂが形成され、帯板部１２２ｂの延長線上に帯板部１２２ｃが形成されている。突出部３６２と突出部３６４とで、係止部３６０が構成される。ここで、帯板部１２２ｂと帯板部１２２ｃの一方が、「コネクタ用切欠部の横方向の一方の端部位置に端部を有する第１板状部」となり、他方が、「コネクタ用切欠部の横方向の他方の端部位置に端部を有する第２板状部」となる。また、帯板部１２２ｂと帯板部１２２ｃとで「板状部」が構成される。帯板部１２２ｂを第１板状部とした場合には、突出部３６２が第１突出部となり、突出部３６４が第２突出部となり、帯板部１２２ｂを第２板状部とした場合には、突出部３６２が第２突出部となり、突出部３６４が第１突出部となる。
【００４４】
すなわち、帯板部１２２ａと帯板部１２２ｂ間には切欠部１２２ｋ−１が形成され、切欠部１２２ｋ−１の横方向の間隔は切欠部１２１−３の横方向の長さと一致し、帯板部１２２ａの背面側の端部と切欠部１２１−３の正面側の端部とは前後方向において一致し、帯板部１２２ｂの正面側の端部と切欠部１２１−３の背面側の端部とは前後方向において一致している。つまり、切欠部１２１−３と切欠部１２２ｋ−１により、側板部１２１の上側領域から帯板部１２２にかけて略同幅の切欠部ＫＡ１が形成されているといえる。この切欠部ＫＡ１には、突状部３１０が形成されているが、突状部３２０と対称である点を除くと同様の構成であるので、突状部３２０について後述することにより突状部３１０の詳細は省略することとする。
【００４５】
また、切欠部１２２Ｋ−１の前後方向の長さ（帯板部１２２ａと帯板部１２２ｂ間の長さ）Ｕは、アース端子５０２が、帯板部１２２ａの背面側の端部と帯板部１２２ｂの正面側の端部と突状部３１０とにより構成される係止部３０２に係止可能なように、アース端子５０２の外径よりも小さく形成されている。
【００４６】
また、突出部３６２は、帯板部１２２ｂの背面側の端部から連設され、長方形状を呈している。突出部３６２の幅（左右方向の幅）は、帯板部１２２ｂの幅（左右方向の幅）よりも小さく形成され、帯板部１２２ｂの右側面側の辺部と突出部３６２の右側面側の辺部とは直線状を呈し、平面視において、突出部３６２と側板部１２１とは間隔が形成されている。
【００４７】
また、突出部３６４は、帯板部１２２ｃの正面側の端部から連設され、長方形状を呈している。突出部３６４の幅（左右方向の幅）は、帯板部１２２ｃの幅（左右方向の幅）よりも小さく形成され、帯板部１２２ｃの右側面側の辺部と突出部３６４の右側面側の辺部とは直線状を呈し、平面視において、突出部３６４と側板部１２１とは間隔が形成されている。また、突出部３６２の背面側の端部と突出部３６４の正面側の端部間には、間隔Ｗが形成されている。
【００４８】
以上のように構成されていることにより、帯板部１２２ｂと突出部３６２とからなる板状部と、帯板部１２２ｃと突出部３６４とからなる板状部間には、略Ｔ字状の切欠部１２２Ｋ−２が形成され、切欠部１２２Ｋ−２の正面側の端部は、切欠部１２１−４の正面側の端部と一致し、切欠部１２２Ｋ−２の背面側の端部は、切欠部１２１−４の背面側の端部と一致している。つまり、切欠部１２１−４と切欠部１２２ｋ−２により、側板部１２１の上側領域から帯板部１２２にかけて切欠部ＫＡ２が形成されているといえる。
【００４９】
この突出部３６２と突出部３６４間には、太陽電池モジュール２０１のコネクタ（雄コネクタ）２１７とコネクタ（雌コネクタ）２１９が嵌合できるようになっている。詳しくは後述する。
【００５０】
側板部１２１の正面側の端部の上下方向（底板部１１１の上面に対する鉛直方向）の長さｈ１（図２（ｂ）参照）は、側板部１２１の背面側の端部の上下方向の長さｈ２（図２（ｂ）参照）よりも短く形成され、側板部１２１における受け板部１２６が連設された上辺と受け板部１２８が連設された上辺は前後方向に傾斜して形成され、受け板部１２６、１２８は、底板部１１１の上面に対して正面側が下方となるように傾斜して形成されている。なお、受け板部１２６と受け板部１２８とは同一平面上に形成されている。この受け板部１２６、１２８は、連結金具１０１に太陽電池モジュール２０１を取り付けた際には、支持部本体２３１の下面に接する。
【００５１】
この側壁部１２０は、底面部１１０の右側面側から延設された金属板を曲げ加工することにより形成される。
【００５２】
また、側壁部１３０は、底面部１１０の左側面側の辺部から立設して形成された側板部１３１と、側板部１３１における切欠部を構成する辺部（側板部１２１の辺部１２１ｆ−１、１２１ｆ−２、１２１ｆ−３に対応する辺部）に沿って連設され、該辺部から外側（左側面側）に突出して形成された帯板部１３２と、帯板部１３２（具体的には、帯板部１３２ａ）の正面側の辺部から連設され、正面側に向けて下方に傾斜した傾斜板部１３４と、側板部１３１の上辺（正面側の上辺）から連設され、外側（左側面側）に突出して形成された受け板部１３６と、側板部１３１の上辺（背面側の上辺）から連設され、外側（左側面側）に突出して形成された受け板部１３８とを有している。なお、側壁部１３０は、側壁部１２０と左右対称に形成されている。
【００５３】
なお、側板部１３１の上側には、切欠部１３１Ｋが形成されているが、この切欠部１３１Ｋの構成は、切欠部１２１Ｋと同様であるので、詳しい説明を省略する。切欠部１３１Ｋには、切欠部１２１−３と対称の構成の切欠部１３１−３と、切欠部１２１−４と対称の構成の切欠部１３１−４が形成されている。
【００５４】
また、帯板部１３２は、帯板部１２２ａと、帯板部１２２ｂと、帯板部１２２ｃとを有している。すなわち、帯板部１２２ａは、側板部１３１の辺部（辺部１２１ｆ−１に対応する辺部）沿って外側に突出して形成され、また、帯板部１２２ｂは、側板部１３１の辺部（辺部１２１ｆ−２に対応する辺部）に沿って外側に突出して形成されるとともに背面側に突出する突出部３７２を有し、また、帯板部１２２ｃは、辺部（辺部１２１ｆ−３に対応する辺部）に沿って外側に突出して形成されるとともに正面側に突出する突出部３７４を有している。帯板部１２２ａ、１２２ｂ、１２２ｃはともに長方形状を呈している。帯板部１２２ａと帯板部１２２ｂ間には、切欠部１２２Ｋ−１と対称の構成の切欠部１３２Ｋ−１が形成され、また、帯板部１３２ｂと突出部３７２とからなる板状部と、帯板部１３２ｃと突出部３７４とからなる板状部間には、切欠部１２２Ｋ−２と対称の構成の略Ｔ字状の切欠部１３２Ｋ−２が形成されている。突出部３７２と突出部３７４とで、係止部３７０が構成される。
【００５５】
この側壁部１３０には、切欠部ＫＡ１と対応する位置に切欠部ＫＡ１と対称の構成の切欠部ＫＢ１が形成されている。切欠部ＫＢ１は、切欠部１３１−３と切欠部１３２Ｋ−１とから構成されている。この切欠部ＫＢ１には、突状部３２０が形成されている。
【００５６】
この突状部３２０は、正面視及び背面視において、略鉤状（背面視における略Ｌ字状としてもよい）を呈し、切欠部１３１−３の底部から上方に伸びた縦方向部３２２と、縦方向部３２２の上端から外側の横方向（すなわち左側面側）に伸びた横方向部３２４とを有している。縦方向部３２２は、左側面視において略方形状を呈し、横方向部３２４は、平面視において略方形状（長方形状）を呈している。
【００５７】
この横方向部３２４は、水平方向に形成されているが、途中に段差が形成された構成となっている。すなわち、横方向部３２４は、縦方向部３２２の上端から水平方向に連設された第１横方向部３２４ａと、第１横方向部３２４ａの外側の端部（左側面側の端部）から斜め上方に形成された段差部（接続部）３２４ｂと、段差部３２４ｂの外側の端部（左側面側の端部）から水平方向に連設された第２横方向部３２４ｃとを有している。ここで、第２横方向部３２４ｃの上面は、第１横方向部３２４ａの上面よりも上側に形成されている。また、第２横方向部３２４ｃの上面は、帯板部１３２ａ、１３２ｂの下面よりも下側にあり、帯板部１３２ａ、１３２ｂと横方向部３２４間に板状のアース端子５０２（図８、図９参照）を挿入して嵌合できるようになっている。また、第２横方向部３２４ｃは、アース端子５０２を嵌合させた際に、アース端子５０２の内側の開口部５０２ａ内に配置されるように、該開口部５０２ａよりも小さく形成されている。
【００５８】
なお、帯板部１３２ａと帯板部１３２ｂ間の長さは、帯板部１２２ａと帯板部１２２ｂ間の長さ）Ｕの場合と同様に、アース端子５０２が、帯板部１３２ａの背面側の端部と帯板部１３２ｂの正面側の端部と突状部３２０とにより構成される係止部３０４に係止可能なように、アース端子５０２の外径よりも小さく形成されている。
【００５９】
ここで、帯板部１２２ａと帯板部１２２ｂの一方が、「アース端子用切欠部から連設した隙間を介して一方の側に設けられた第１板状部」となり、他方が、「第２板状部」となる。また、帯板部１２２ａと帯板部１２２ｂとで「板状部」が構成される。
【００６０】
この側壁部１３０は、底面部１１０の左側面側から延設された金属板を曲げ加工することにより形成される。
【００６１】
また、側壁部１４０は、底板部１１１の正面側の辺部から立設して形成された側板部１４２と、側板部１４２から外側（正面側）に突出して形成された係止部（係止爪としてもよい）１４４とを有している。
【００６２】
ここで、側板部１４２は、底板部１１１の正面側の辺部から立設した本体板部１４２ａと、本体板部１４２ａの上端から連設された中間板部１４２ｂと、中間板部１４２ｂの上端から連設された先端板部１４２ｃとを有し、長方形状の金属板を曲げ加工することにより形成されている。ここで、本体板部１４２ａは、図２（ｂ）に示すように、底板部１１１の上面（水平面）に対する直角方向に対して外側（正面側）に傾斜して形成され（つまり、上方にいくほど正面側にいくように傾斜している）、中間板部１４２ｂは、本体板部１４２ａに対してさらに外側に傾斜して形成されている。つまり、図２において、角度β１は、直角よりも小さく、角度β２は、角度β１よりも小さく形成されている。
【００６３】
また、先端板部１４２ｃは、中間板部１４２ｂに対して内側に傾斜して形成され、この先端板部１４２ｃは、底板部１１１に対する直角方向に対して内側（背面側）に傾斜して形成されている。この先端板部１４２ｃは、太陽電池モジュール２０１を連結金具１０１に取り付ける際に爪部２３４ｂのガイド部として機能する。先端板部１４２ｃの上端は、太陽電池モジュール２０１を連結金具１０１に取り付けた際に側壁部１４０が太陽電池モジュール２０１に接しないように、受け板部１２６の上面よりも下方に位置している。
【００６４】
また、係止部１４４は、中間板部１４２ｂにおける中央領域を外側に押出し加工して形成され、係止部１４４の下側が開口することにより外側に膨出して形成されている。係止部１４４は、正面視では、図２（ｃ）に示すように、略台形形状を呈し、その下端部１４４ａ以外は、中間板部１４２ｂと接続され、下端部１４４ａについては、その両側の端部のみが中間板部１４２ｂと接続され、底面視では、図３に示すように、下端部１４４ａは、直線状の両側が側壁部１４０側に湾曲した形状を呈している。
【００６５】
また、側壁部１５０は、側壁部１４０と略前後対称に形成されているが、側板部１５２の本体板部１５２ａの上下方向の長さが側板部１４２の本体板部１４２ａの上下方向の長さよりも長く形成されている点が異なる。これは、屋根面に屋根瓦１を施工すると、屋根瓦１の上面の傾斜角度が野地板３００の上面の傾斜角度に対して、軒側が持ち上がった状態となり、屋根瓦１の上面の傾斜角度が野地板３００の傾斜角度よりも小さくなり、側壁部１４０と側壁部１５０の上下方向の長さを同一とすると、連結金具１０１に取り付けられた太陽電池モジュール２０１の傾斜角度も野自他３００の傾斜角度よりも小さくなるので、それを是正するために、側壁部１４０と側壁部１５０で本体板部の上下方向の長さを異ならせている。
【００６６】
すなわち、側壁部１５０は、底板部１１１の背面側の辺部から立設して形成された側板部１５２と、側板部１５２から外側（背面側）に突出して形成された係止部（係止爪としてもよい）１５４とを有している。
【００６７】
ここで、側板部１５２は、底板部１１１の背面側の辺部から立設した本体板部１５２ａと、本体板部１５２ａの上端から連設された中間板部１５２ｂと、中間板部１５２ｂの上端から連設された先端板部１５２ｃとを有し、長方形状の金属板を曲げ加工することにより形成されている。ここで、本体板部１５２ａは、図２（ｂ）に示すように、底板部１１１の上面（水平面）に対する直角方向に対して外側（背面側）に傾斜して形成され（つまり、上方にいくほど背面側にいくように傾斜している）、中間板部１５２ｂは、本体板部１５２ａに対してさらに外側に傾斜して形成されている。つまり、図２において、角度β１１は、直角よりも小さく、角度β１２は、角度β１１よりも小さく形成されている。
【００６８】
また、先端板部１５２ｃは、中間板部１５２ｂに対して内側に傾斜して形成され、この先端板部１５２ｃは、底板部１１１に対する直角方向に対して内側（正面側）に傾斜して形成されている。先端板部１５２ｃの上端は、太陽電池モジュール２０１を連結金具１０１に取り付けた際に側壁部１５０が太陽電池モジュール２０１に接しないように、受け板部１２８の上面よりも下方に位置している。
【００６９】
また、係止部１５４は、中間板部１５２ｂにおける中央領域を外側に押出し加工して形成され、係止部１５４の下端が開口することにより外側に膨出して形成されている。係止部１５４は、係止部１４４と前後対称に形成され、背面視では、図２（ｄ）に示すように、略台形形状を呈し、その下端部１５４ａ以外は、中間板部１５２ｂと接続され、下端部１５４ａについては、その両側の端部のみが中間板部１５２ｂと接続され、底面視では、図３に示すように、下端部１５４ａは、直線状の両側が側壁部１５０側に湾曲した形状を呈している。
【００７０】
太陽電池モジュール２０１を連結金具１０１に取り付けた際には、太陽電池モジュール２０１の金具係止部２３４が、係止部１４４、１５４に係止する。
【００７１】
コネクタ２１９を連結金具１０１に取り付ける取付け方法について説明すると、互いに対応する一対の凹部（凹部４２０と凹部４２２、凹部４２４と凹部４２４と対応する凹部）の一方に係止部３６０（３７０）を構成する突出部の一方を挿入した状態で、コネクタ２１９を他方の突出部に押さえつけながら該他方の突出部側にコネクタ２１９を回転させることにより、他方の突出部が凹部の他方に挿入される。例えば、凹部４２０に突出部３６２を挿入した状態で、コネクタ２１９を突出部３６４に押さえつけながらコネクタ２１９を突出部３６４側に回転させることにより、突出部３６４が凹部４２２に挿入される。なお、コネクタ２１９の先端が連結金具１０１の外側を向くように取り付けることも可能であり、コネクタ２１９の先端が連結金具１０１の内側を向くように取り付けることも可能である。凹部４２０に突出部３６２が挿入し、凹部４２２に突出部３６４が挿入し、コネクタ２１９の先端が連結金具１０１の外側を向くように取り付けた状態は、図４に示すようになる。
【００７２】
なお、コネクタ２１７もコネクタ２１９と同様にして係止部３６０や係止部３７０に取り付けることができる。
【００７３】
また、アース端子５０２を係止部３０２や係止部３０４に取り付ける取付け方法について説明する。係止部３０２への取付け方法と係止部３０４への取付け方法は同様であるので、係止部３０４に係止する場合を例に取って説明すると、連結金具１０１の外側の側方から帯板部１３２ａ及び帯板部１３２ｂと突状部３２０間にアース端子５０２を手に持って図８に示すようにアース端子５０２を差し込むことにより、アース端子５０２が、帯板部１３２ａ及び帯板部１３２ｂと突状部３２０間に嵌合する（図９参照）。なお、段差部３２４ｂ及び第２横方向部３２４ｃが設けられているので、アース端子５０２が容易に外れることはない。アース端子５０２が係止部３０４に係止した状態では、第２横方向部３２４ｃがアース端子５０２の開口部５０２ａ内に位置する。
【００７４】
なお、係止部３０２、３０４の構成は、図１０に示す構成としてもよい。すなわち、係止部３０２と係止部３０４とは対称であるので、係止部３０４を例にとって説明すると、帯板部１３２ａの背面側の辺部は、左右方向の辺部と前後方向の辺部を交互に形成することにより帯板部１３２ｂ側に近づく凹凸辺部１３２ａ−１と、凹凸辺部１３２ａ−１の外側の端部から連設され、正面側に傾斜した傾斜辺部１３２ａ−２とを有する形状であり、また、帯板部１３２ｂの正面側の辺部は、左右方向の辺部と前後方向の辺部を交互に形成することにより帯板部１３２ａ側に近づく凹凸辺部１３２ｂ−１と、凹凸辺部１３２ｂ−１の外側の端部から連設され、背面側に傾斜した傾斜辺部１３２ｂ−２とを有する形状であり、帯板部１３２ａの背面側の辺部と帯板部１３２ｂの正面側の辺部とは対称に形成されている。また、突状部３２０における第２横方向部３２４ｃは、その先端側が基端側に対して幅広に形成されている。つまり、第２横方向部３２４ｃは、基端側の幅狭部３２４ｃ−１と幅狭部３２４ｃ−１の先端に設けられた幅広部３２４ｃ−２とを有している。
【００７５】
係止部３０４を上記のように構成することにより、アース端子５０２の径（外径や内径）が異なる場合であっても、アース端子５０２を帯板部１３２ａ、１３２ｂ及び突状部３２０に接触させやすくすることができ、よって、アース端子５０２を確実に係止部３０４に係止させることができる。
【００７６】
次に、太陽電池モジュール２０１は、図１１〜図１４に示すように形成され、長方形状（略長方形状としてもよい）の板状を呈するモジュール本体２１２と、モジュール本体２１２の裏面に設けられたケース状の端子箱（接続部としてもよい）２１４と、端子箱２１４に接続された一対のケーブル（出力ケーブル、配線ケーブルとしてもよい）２１６、２１８と、ケーブル２１６の先端に取り付けられたコネクタ（雄コネクタ）２１７と、ケーブル２１８の先端に取り付けられたコネクタ（雌コネクタ）２１９と、モジュール本体２１２を支持するフレーム２２０を有している。モジュール本体２１２と、端子箱２１４と、ケーブル２１６、２１８と、コネクタ２１７、２１９とで、主構成部２１０を構成する。
【００７７】
モジュール本体２１２は、複数の太陽電池セル（太陽電池）を有するものであり、具体的には、樹脂製で板状のバックシートと、バックシートの上面に設けられ、ＥＶＡ樹脂により形成された第１樹脂層と、第１樹脂層の上面に設けられた太陽電池セルと、太陽電池セルの上面に設けられ、ＥＶＡ樹脂により形成された第２樹脂層と、第２樹脂層の上面に形成されたガラス層とを有した構成となっている。ケーブル２１６の先端には、コネクタ２１８が設けられ、ケーブル２１７の先端には、コネクタ２１９が設けられている。なお、モジュール本体２１２は、結晶シリコンモジュールの例であるが、モジュール本体２１２は、太陽電池を備えた構成であればよく、例えば、薄膜系の太陽電池を備えたものでもよい。すなわち、モジュール本体２１２は、略長方形状の板状を呈し、太陽電池を備えたものであればよい。
【００７８】
また、フレーム２２０は、四角枠状（具体的には、長方形状の枠状）を呈し、一対の長辺部２２２ａ、２２２ｂと、一対の短辺部２２４ａ、２２４ｂとを有し、長辺部２２２ａの両側の端部で、短辺部２２４ａ、２２４ｂの一方の端部が接続し、長辺部２２２ｂの両側の端部で、短辺部２２４ａ、２２４ｂの他方の端部が接続している。一対の長辺部２２２ａと長辺部２２２ｂとは互いに平行に設けられ、短辺部２２４ａと短辺部２２４ｂとは互いに平行に設けられている。ここで、フレーム２２０の長辺部２２２ａ、２２２ｂの長さＬ０は、連結金具１０１を取り付ける屋根瓦１における差込み部３０を除く部分の横方向の長さＭの略４倍の長さを有している。フレーム２２０は、金属により形成されている。この長さＭが、屋根瓦１の働き幅となる。
【００７９】
フレーム２２０を構成する長辺部２２２ａ、２２２ｂと短辺部２２４ａ、２２４ｂとは長さが異なる以外は同一の構成であるので、長辺部２２２ａを例にとって説明する。
【００８０】
すなわち、長辺部２２２ａは、支持部２３０と、支持部２３０の支持部本体２３１の下面の外側の端部近傍から下方に突出して形成された金具係止部２３４とを有している。
【００８１】
ここで、支持部２３０は、モジュール本体２１２を支持するものであり、略帯板状の支持部本体２３１と、支持部本体２３１の外側の端部から上方に突出して形成された断面略鉤状（断面略Ｌ字状としてもよい）の係止部２３２と、支持部本体２３１の外側の端部側部分の下端及び金具係止部２３４の外側の面から突出した突出部２３３とを有している。
【００８２】
係止部２３２は、支持部本体２３１の端部から支持部本体２３１に対して直角に立設した板状の側面部（側板部としてもよい）２３２ａと、側面部２３２ａの上端から内側に形成され、支持部本体２３１と平行に形成された板状の上面部（上板部としてもよい）２３２ｂとを有し、側面部２３２ａと上面部２３２ｂはともに帯状に形成されている。つまり、支持部２３０は、係止部２３２と支持部本体２３１とにより断面略コ字状に形成されている。モジュール本体２１２の端部は、支持部２３０の該断面略コ字状部分に支持される。なお、支持部本体２３１とモジュール本体２１２間には、防水及び接着用の樹脂層２４０が設けられている。
【００８３】
また、突出部２３３は、支持部本体２３１の外側の端部側部分の下端及び金具係止部２３４の外側の面から突出して形成されている。すなわち、突出部２３３は、第１突出部２３３ａと、第２突出部２３３ｂとを有している。
【００８４】
第１突出部２３３ａは、係止部２３２の側面部２３２ａの下端から下方に連設され、側面部２３２ａとともに帯板状を呈しており、突出部２３３の下端は、金具係止部２３４の下端よりも上方に位置している。また、第２突出部２３３ｂは、金具係止部２３４の板状部２３４ａ−１の外側の面から外側に突出している。突出部２３３において、第１突出部２３３ａと第２突出部２３３ｂ間には、溝部２３３ｃが形成されている。
【００８５】
また、金具係止部２３４は、支持部２３０（具体的には、支持部本体２３１）の下面の外側の端部領域から下方に突出して形成され、断面略コ字状（厳密には、略コ字状を９０度回転した断面形状）の係止部本体２３４ａと、係止部本体２３４ａの内側の面の下端から内側に突出した爪部２３４ｂとを有している。
【００８６】
係止部本体２３４ａは、支持部本体２３１に対して直角で互いに平行な一対の板状部２３４ａ−１、２３４ａ−２と、該一対の板状部の下端の間に設けられ、支持部本体２３１に対して平行な板状部２３４ａ−３とにより形成され、支持部本体２３１における互いに平行な一対の板状部２３４ａ−１、２３４ａ−２が連設された部分とともに、全体に略四角筒状に形成される。
【００８７】
また、爪部２３４ｂは、係止部本体２３４ａの内側の面から形成された第１面部２３４ｂ−１と、該第１面部２３４ｂ−１の端部から連設され、係止部本体２３４ａの内側の面と略平行な第２面部２３４ｂ−２と、第２面部２３４ｂ−２の第１面部２３４ｂ−１側とは反対側の端部から連設され、係止部本体２３４ａと連設された第３面部２３４ｂ−３とを有した構成となっている。
【００８８】
なお、一対の長辺部２２２ａ、２２２ｂにおいて、金具係止部２３４の係止部本体２３４ａの内側の面の間の長さＬ１（図１４参照）は、連結金具１０１における前後方向（長手方向）の最大長さ（正面側の端部と背面側の端部間の長さ）Ｌ１１（図２参照）よりも長く形成され、これにより、一対の長辺部２２２ａ、２２２ｂ間に連結金具１０１を配置でき、また、金具係止部２３４の爪部２３４ｂの内側の端部間の間の長さＬ２（図１４参照）は、連結金具１０１における係止部１４４の正面側の端部と係止部１５４の背面側の端部間の長さ（連結金具１０１における前後方向の最大長さＬ１１と略同一である）よりも短く形成されていて、これにより、長辺部２２２ａの爪部２３４ｂを係止部１４４に係止させるとともに、長辺部２２２ｂの爪部２３４ｂを係止部１５４に係止させることができる。
【００８９】
長辺部２２２ａと長辺部２２２ｂとは前後対称である以外は同一の構成であり、短辺部２２４ａと短辺部２２４ｂとは左右対称である以外は同一の構成である。
【００９０】
また、一対のケーブル２１６、２１８において、ケーブル２１６がケーブル２１８よりも短く形成され、コネクタ２１９に接続されたケーブル２１８の長さは、太陽電池モジュール２０１の長手方向にケーブル２１８を伸ばした際に、ケーブル２１８の先端（コネクタ２１９の基端位置）がフレーム２２０の短辺部２２４ｂから突出する長さとなっていて、コネクタ２１７に接続されたケーブル２１６の長さは、太陽電池モジュール２０１の長手方向にケーブル２１６を伸ばした際に、ケーブル２１６の先端（コネクタ２１７の基端位置）がフレーム２２０の短辺部２２４ａから突出しない長さとなっている。すなわち、図２３に示すように、各太陽電池モジュール２０１を４つの連結金具１０１に取り付け、前後方向に隣接した太陽電池モジュール２０１の短辺部２２４ａ、２２４ｂの左右方向の位置を一致させて施工した際に、ケーブル２１８の長さは、対象となる太陽電池モジュール（対象太陽電池モジュール）２０１のコネクタ２１９は、対象太陽電池モジュールと左右方向に隣接する太陽電池モジュールが取り付けられる連結金具１０１のうち最も対象太陽電池モジュールに近い連結金具１０１に取付け可能で、特に、連結金具１０１の一対の側壁部において、対象太陽電池モジュールとは反対側の側壁部にコネクタ２１９を取付け可能な長さとなっている。例えば、太陽電池モジュール２０１−１におけるケーブル２１８の長さは、コネクタ２１９が、連結金具１０１−５（隣接する太陽電池モジュールが取り付けられる連結金具１０１のうち最も太陽電池モジュール２０１−１に近い連結金具）（つまり、短辺部２２４ｂ側に隣接する太陽電池モジュール（第１隣接太陽電池モジュール）が取り付けられる連結金具１０１で短辺部２２４ｂに最も近くに取り付けられる連結金具（第１近接連結具））に取付け可能で、特に、連結金具１０１−５の太陽電池モジュール２０１−１とは反対側の側壁部（つまり、側壁部１３０の係止部３７０）に取付け可能となっている。
【００９１】
また、ケーブル２１８の長さは、軒側に隣接する太陽電池モジュール２０１の最も端部側（ケーブル２１８が伸びる側の端部側）の連結金具１０１に取付け可能な長さに形成されている。例えば、図２３の例では、太陽電池モジュール２０１−２のケーブル２１８は、太陽電池モジュール２０１−１が取り付けられた連結金具１０１における最も端部側（ケーブル２１８が伸びる側であるＸ２側の端部側）に位置する連結金具１０１−１に取付け可能な長さを有し、特に、コネクタ２１９の先端をコネクタ２１９が接続されるコネクタ２１７側（Ｘ１側）として連結金具１０１−１の該Ｘ１側の側壁部（つまり、側壁部１３０の係止部３７０）に取付け可能な長さに形成されている。太陽電池モジュール２０１−３のケーブル２１８も同様に、太陽電池モジュール２０１−２が取り付けられる連結金具２０１−２の側壁部１２０の係止部３６０にコネクタ２１９の先端側をＸ２側として取付け可能な長さに形成されている。
【００９２】
なお、図２３に示すように、各太陽電池モジュール２０１を４つの連結金具１０１に取り付け、流れ方向に隣接した太陽電池モジュール２０１の短辺部２２４ａ、２２４ｂの左右方向の位置を一致させて施工した際には、この場合には、４つの連結金具１０１は、１つの太陽電池モジュール２０１の長手方向に偏心した位置に設けられ、連結金具１０１の左右方向の中心位置と短辺部との距離における最短距離は同一となる。すなわち、図２３において、太陽電池モジュール２０１−１においては、４つの連結金具のうち最も右側に位置する連結金具１０１−１が一対の短辺部との長さが最も短く、太陽電池モジュール２０１−２においては、４つの連結金具のうち最も左側に位置する連結金具１０１−４が一対の短辺部との長さが最も短く、太陽電池モジュール２０１−１において、最も右側の連結金具１０１−１の中心位置と短辺部２２４ａの外側の端部間の長さＬ２１と、太陽電池モジュール２０１−２において、最も左側の連結金具１０１−４の中心位置と短辺部２２４bの外側の端部間の長さＬ２２とは同一（略同一でもよい）となっている。つまり、太陽電池モジュールは、短辺部２２４ａと短辺部２２４ａに最も近い連結金具１０１との距離と短辺部２２４ｂと短辺部２２４ｂに最も近い連結金具１０１との距離が同一となる位置に対して、屋根瓦の働き幅の１／４ずらした状態で施工され、流れ方向に隣接する太陽電池モジュールでは、互いに逆方向にずらして施工されるといえる。
【００９３】
また、ケーブル２１６の長さは、隣接する太陽電池モジュール２０１のコネクタ２１９に接続可能な長さに形成されている。例えば、図２３において、太陽電池モジュール２０１−１の左隣に太陽電池モジュール２０１が施工された場合に（太陽電池モジュール２０１の上下方向の向きは太陽電池モジュール２０１−１と同じとする）、該隣接する太陽電池モジュール２０１のケーブル２１６のコネクタ２１７が連結金具１０１−５に取り付けられたコネクタ２１９に接続可能な長さとなっている。つまり、ケーブル２１６は、コネクタ２１７が、短辺部２２４ａ側に隣接する太陽電池モジュール（第２隣接太陽電池モジュール）２０１−１のコネクタ２１９で、短辺部２２４ａの最も近くに取付け可能な連結具（第２近接連結具）１０１−５に取り付けられたコネクタ２１９に接続可能な長さを有している。
【００９４】
また、コネクタ（雌コネクタ）２１９は、図５に示すように構成され、柱状の本体部４００と、本体部４００の先端に設けられた先端部４０２とを有し、先端部４０２は、その先端側に軸線方向Ｇの両側（軸線方向Ｇと直角の方向の両側）に突出した突出部４０４を有している。該突出部４０４と本体部４００の先端の間には、切欠部４０６が形成されている。該突出部４０４には、突出部４０４の先端側から基端側に貫通した貫通孔４１２が形成されている。つまり、コネクタ（雄コネクタ）２１７の爪部４６２が貫通孔４１２に挿通して、爪部４６２が突出部４０４に係止する。切欠部４０６には、爪部４６２を突出部４０４に係止した際に、爪部４６２の先端が配置される。
【００９５】
また、本体部４００には、一方の側（軸線方向と直角方向の側）に凹部４２０、４２４が形成され、本体部４００の他方の側（一方の側とは反対側）には、凹部４２０に対応する凹部４２２が設けられ、また、凹部４２４に対応する凹部（図示せず）が設けられている。つまり、凹部４２０と凹部４２２とは、軸線Ｇを通る仮想上の平面（凹部４２０、４２２の奥行き方向と直角な平面）を介して対称の位置に形成され、また、凹部４２４と凹部４２４が対応する凹部とは、該仮想上の平面を介して対称に形成されている。凹部４２０、４２２、４２４等の４つの凹部は、ともに同じ構成であり、細長長方形状の開口部を有し、その断面（縦断面）は、図６に示すように、長方形状を呈している。なお、凹部４２０、４２２、４２４等の４つの凹部における各凹部の開口側の端部は、該仮想上の平面と平行な平面に形成され、少なくとも、各凹部の開口側の端部の周囲の領域は、該仮想上の平面と平行な平面となっている。
【００９６】
ここで、互いに対応する一対の凹部（凹部４２０と凹部４２２、凹部４２４と凹部４２４と対応する凹部）は、係止部３６０や係止部３７０に係止するように形成されている。      
【００９７】
つまり、係止部３６０を例にとって説明すると、係止部３６０の突出部３６２と突出部３６４の一方が、一対の凹部における一方の凹部に係止し、他方が他方の凹部に係止するように形成されている。つまり、一方の凹部の奥側の端部と他方の凹部の奥側の端部間の距離をＶ１、一方の凹部の開口側の端部と他方の凹部の奥側の端部間の距離をＶ２とし、連結金具１０１における突出部３６２と突出部３６４間の距離Ｗとすると、Ｖ１＜Ｗ＜Ｖ２となるように形成されている。係止部３７０においても同様に、係止部３７０の突出部３７２と突出部３７４の一方が、一対の凹部における一方の凹部に係止し、他方が他方の凹部に係止するように形成されている。つまり、一方の凹部の奥側の端部と他方の凹部の奥側の端部間の距離をＶ１、一方の凹部の開口側の端部と他方の凹部の奥側の端部間の距離をＶ２とし、連結金具１０１における突出部３７２と突出部３７４間の距離Ｗとすると、Ｖ１＜Ｗ＜Ｖ２となるように形成されている。コネクタ２１９が係止部３６０、３７０に係止した状態は、図６（ｂ）に示す状態となる。
【００９８】
また、コネクタ（雄コネクタ）２１７は、図７に示すように構成され、柱状の本体部４５０と、本体部４５０の先端に設けられた円柱状の挿入部４６０と、本体部４５０の先端の挿入部４６０の両側に設けられた爪部４６２とを有している。
【００９９】
挿入部４６０は、コネクタ２１９の挿入孔４１０に挿入されることにより、電気的に導通される。また、本体部４５０には、一方の側（軸線方向と直角方向の側）に一対の凹部４７０、４７４が形成され、本体部４５０の他方の側（一方の側とは反対側）には、凹部４７０に対応する凹部（図示せず）が設けられ、また、凹部４７４に対応する凹部（図示せず）が設けられている。これら４つの凹部の構成は、コネクタ２１９における４つの凹部と同様の構成であるので、詳しい説明を省略する。つまり、互いに対応する一対の凹部（凹部４７０とこれに対応する凹部、凹部４７４とこれに対応する凹部）は、係止部３６０や係止部３７０に係止するように形成されている。つまり、係止部３６０を例にとって説明すると、係止部３６０の突出部３６２と突出部３６４の一方が、一対の凹部における一方の凹部に係止し、他方が他方の凹部に係止するように形成され、一方の凹部の奥側の端部と他方の凹部の奥側の端部間の距離をＶ１、一方の凹部の開口側の端部と他方の凹部の奥側の端部間の距離をＶ２とし、連結金具１０１における突出部３６２と突出部３６４間の距離Ｗとすると、Ｖ１＜Ｗ＜Ｖ２となるように形成されている。
【０１００】
なお、短辺部２２４ｂが「第１短辺部」に当たり、短辺部２２４ａが「第２短辺部」に当たり、長辺部２２２ａと長辺部２２２ｂの一方が「第１長辺部」に当たり、他方が「第２長辺部」に当たり、ケーブル２１８が「第１ケーブル」に当たり、ケーブル２１６が「第２ケーブル」に当たり、コネクタ２１９が「第１コネクタ」に当たり、コネクタ２１７が「第２コネクタ」に当たる。
【０１０１】
屋根瓦１は、図１５〜図１８に示すように構成されている。すなわち、屋根瓦１は、平面視が略正方形状の陶板から構成され、本体部１０と、本体部１０の左側面側に連設された差込み部３０と、本体部１０の右側面側に連設された桟部４０と、本体部１０の背面側に連設された尻部５０とを有している。複数の屋根瓦１を屋根面に施工した際には、正面側（Ｘ１側）が軒先側となり、尻部５０側が棟側となり、差込み部３０は、右側面側に隣接する屋根瓦１の桟部４０に被覆される。なお、屋根瓦１における係止突起１６と突設部１８、２０以外の構成が、瓦本体９となる。また、屋根瓦１は、全体に一体に形成され、係止突起１６や突設部１８、２０は、瓦本体９と一体に形成されている。屋根瓦１は、粘土を焼成することにより形成されているが、他の材料（例えば、セメント、樹脂（例えば、ＦＲＰ）、金属）により製造されたものでもよい。
【０１０２】
ここで、本体部１０は、平面視で略正方形状の略板状を呈し、板状部１２と、板状部１２の上面に形成された係止突起１６、突設部１８、２０とを有している。
【０１０３】
板状部１２は、平面視で略正方形状の板状を呈し、左側面側の端部領域には、傾斜して形成された水返し１２ａを有し、水返し１２ａは、左側面側にいくほど上側となるように傾斜している。
【０１０４】
また、板状部１２は、正面側の端部に頭部１４を有している。つまり、板状部１２の正面側の端部領域が頭部１４を構成している。
【０１０５】
頭部１４は、中央頭部１４−１と、中央頭部１４−１の左側面側に位置する左側頭部１４−２と、中央頭部１４−１の右側面側に位置する右側頭部１４−３とを有している。
【０１０６】
中央頭部１４−１は、頭部１４の左右方向の略中央に位置し、頭部１４における左側頭部１４−２と右側頭部１４−３の間の領域を構成し、図１８に示すように、板状部１２における頭部１４以外の部分である内側構成部１５と略同一の厚みを有している。つまり、中央頭部１４−１は、内側構成部１５における水返し１２ａ以外の領域の厚みと略同一の厚みとなっている。頭部１４の上面は平面状であり、内側構成部１５の上面（内側構成部１５の上面は平面状をなす）と同一平面状となっている。同様に、頭部１４の下面は平面状であり、内側構成部１５の下面（内側構成部１５の下面は平面状をなす）と同一平面状となっている。なお、図１８に示すように、中央頭部１４−１の正面側の端部の下端には、従来と異なり切欠きは形成されていない。
【０１０７】
また、左側頭部１４−２と右側頭部１４−３の厚みは、内側構成部１５の厚み（内側構成部１５における傾斜面１２ａ以外の領域の厚み）と略同一であるが、正面側に向けて下方に湾曲した形状を呈している。従って、中央頭部１４−１と左側頭部１４−２間の領域は、左側面側に向けて下方に緩やかに湾曲し、中央頭部１４−１と右側頭部１４−３間の領域は、右側面側に向けて下方に緩やかに湾曲している。
【０１０８】
また、係止突起１６は、屋根瓦１の上面、具体的には、板状部１２の上面の略中央に設けられ、背面側に切欠部１６ｆを有するフック状を呈している。すなわち、係止突起１６は、内側構成部１５の上面に対して鉛直方向に形成されるとともに前後方向に形成された右側面部１６ａ及び左側面部１６ｂと、右側面部１６ａと左側面部１６ｂの正面側の端部から連設され、正面側に向けて下方に傾斜する正面部１６ｃと、右側面部１６ａと左側面部１６ｂの背面側の端部から連設され、内側構成部１５の上面に対して鉛直方向に形成されるとともに左右方向に形成された背面部１６ｄと、右側面部１６ａと左側面部１６ｂと正面部１６ｃと背面部１６ｄの上辺から連設され、内側構成部１５の上面に対して略平行に形成された上面部１６ｅとを有し、その背面側には、切欠部１６ｆが形成されている。切欠部１６ｆは、係止突起１６の背面部から正面側に向けて前後方向に形成され、左右方向には、右側面部１６ａ側の端部から左側面部１６ｂの端部にまで形成されている。内側構成部１５の上面は、切欠部１６ｆの奥部（正面側の端部）にまで形成されている。なお、係止突起１６は、内側構成部１５の上面に突出して形成された基端部１６−１と、基端部１６−１の背面側の面の上部から背面側に突出して形成された突出部１６−２とを有する構成ともいえる。以上のようにして、係止突起１６は、背面側が開口した構成となっている。
【０１０９】
また、突設部１８は、板状部１２の上面における係止突起１６の正面方向（正面側としてもよい）の位置に係止突起１６と間隔を介して形成され、屋根瓦１、具体的には、瓦本体９の外周部（外周の端部）よりも内側に形成され（つまり、該外周部とは間隔を介して形成されている）、特に、頭部側の端部とは間隔を介して形成されている。
【０１１０】
突設部１８は、方形状の上面部１８ａと、上面部１８ａの各辺から下方に傾斜して形成された右側面部１８ｂ、左側面部１８ｃ、正面部１８ｄ及び背面部１８ｅを有し、突設部１８は、全体に四角錐状の外形を有している。この突設部１８は、内側構成部１５の上面に形成されているが、突設部１８の一部が頭部１４の上面に形成されている構成としてもよい。
【０１１１】
また、上面部１８ａには、左右方向に形成された溝部（嵌合凹部）１８ｆが形成されている。溝部１８ｆは、溝状を呈し、上面部１８ａの左右方向及び前後方向の略中央に形成され、特に、左右方向には上面部１８ａの中央（すなわち、左右方向に均等の位置）に形成され、溝部１８ｆの左端と上面部１８ａの左端間の長さと溝部１８ｆの右端と上面部１８ａの右端間の長さは同一に形成されている。つまり、溝部１８ｆは、係止突起１６の正面方向の位置に形成されている。溝部１８ｆの長さは、弾性部１１４の先端部１１４ｂの幅（左右方向の幅）と同一又は先端部１１４ｂの幅（左右方向の幅）よりも若干長く形成されるとともに、溝部１８ｆの幅は先端部１１４ｂが嵌合する幅（少なくとも先端部１１４ｂの厚み以上の幅）に形成され、これにより、溝部１８ｆに嵌合した弾性部１１４が桁方向や流れ方向（軒側と棟側の間の方向、図１９〜図２４に示すＲ１−Ｒ２方向）にずれないようになっている。溝部１８ｆは、溝部の深さ方向には鉛直方向に形成されている。この溝部１８ｆには連結金具１０１の先端部１１４ｂが嵌合される。突設部１８が屋根瓦１（瓦本体９としてもよい）の上面における屋根瓦１（瓦本体９としてもよい）の外周部よりも内側に形成されているので、溝部１８ｆも屋根瓦１（瓦本体９としてもよい）の上面における瓦１（瓦本体９としてもよい）の外周部よりも内側に形成されている。また、上面部１８ａから正面部１８ｄにかけて、溝部１８ｇが前後方向に形成され、この溝部１８ｇは、溝部１８ｆに連設して形成され、溝部１８ｆから正面側に向けて形成されている。この溝部１８ｇにより溝部１８ｆに入った雨水は溝部１８ｆ内に溜まることがなく排水される。
【０１１２】
なお、係止突起１６の左右方向の中心は、突設部１８の左右方向の中心（特に、溝部１８ｆの左右方向の中心）とは左右方向に一致している。
【０１１３】
また、突設部２０は、内側構成部１５の上面における係止突起１６の背面方向（背面側としてもよい）の位置に係止突起１６と間隔を介して形成され、突設部１８と同一の構成を有している。なお、この突設部２０は、屋根瓦１、具体的には、瓦本体９の外周部（外周の端部）よりも内側に形成され、該外周部とは間隔を介して形成されている。
【０１１４】
すなわち、突設部２０は、方形状の上面部２０ａと、上面部２０ａの各辺から下方に傾斜して形成された右側面部２０ｂ、左側面部２０ｃ、正面部２０ｄ及び背面部２０ｅを有し、突設部２０は、全体に四角錐状の外形を有している。
【０１１５】
また、上面部２０ａには、左右方向に形成された溝部（嵌合凹部）２０ｆが形成されている。溝部２０ｆは、溝状を呈し、上面部２０ａの左右方向及び前後方向の略中央に形成され、特に、左右方向には上面部２０ａの中央（すなわち、左右方向に均等の位置）に形成され、溝部２０ｆの左端と上面部２０ａの左端間の長さと溝部２０ｆの右端と上面部２０ａの右端間の長さは同一に形成されている。つまり、溝部２０ｆは、係止突起１６の背面方向の位置に形成されている。溝部２０ｆの長さは、弾性部１１６の先端部１１６ｂの幅（左右方向の幅）と同一又は先端部１１６ｂの幅（左右方向の幅）よりも若干長く形成されるとともに、溝部２０ｆの幅は先端部１１６ｂが嵌合する幅（少なくとも先端部１１６ｂの厚み以上の幅）に形成され、これにより、溝部２０ｆに嵌合した弾性部１１６が桁方向や流れ方向にずれないようになっている。溝部２０ｆは、溝部の深さ方向には鉛直方向に形成されている。この溝部２０ｆには連結金具１０１の先端部１１６ｂが嵌合される。突設部２０が屋根瓦１（瓦本体９としてもよい）の上面における屋根瓦１（瓦本体９としてもよい）の外周部よりも内側に形成されているので、溝部２０ｆも屋根瓦１（瓦本体９としてもよい）の上面における屋根瓦１（瓦本体９としてもよい）の外周部よりも内側に形成されている。また、上面部２０ａから正面部２０ｄにかけて、溝部２０ｇが前後方向に形成され、この溝部２０ｇは、溝部２０ｆに連設して形成され、溝部２０ｆから正面側に向けて形成されている。この溝部２０ｇにより溝部２０ｆに入った雨水は溝部２０ｆ内に溜まることがなく排水される。
【０１１６】
なお、係止突起１６の左右方向の中心は、突設部２０の左右方向の中心（特に、溝部２０ｆの左右方向の中心）とは左右方向に一致している。また、突設部２０の左右方向の位置は、突設部１８の左右方向の位置と一致している。
【０１１７】
溝部１８ｆと溝部２０ｆの前後方向の形成位置は、連結金具１０１の開口部１１２ａに係止突起１６を挿通した後、連結金具１０１を正面側にスライドさせた際に、連結金具１０１の先端部１１４ｂが溝部１８ｆに嵌合し、先端部１１６ｂが溝部２０ｆに嵌合する位置に形成されている。なお、先端部１１４ｂが溝部１８ｆに嵌合し、先端部１１６ｂが溝部２０ｆに嵌合した状態では、連結金具１０１の開口部１１２ａの背面側の縁部１１３が係止突起１６の切欠部１６ｆの奥部（正面側の端部）に接するようにするのが好ましい。
【０１１８】
なお、溝部１８ｆは、少なくとも、瓦本体９（本体部１０としてもよい）の上面における前後方向において係止突起１６の形成位置よりも正面側となる領域（つまり、本体部１０の右側面側の端部から左側面側の端部までの範囲で、係止突起１６よりも正面側となる領域）に形成され、溝部２０ｆは、少なくとも、瓦本体９（本体部１０としてもよい）の上面における前後方向において係止突起１６の形成位置よりも背面側となる領域（つまり、本体部１０の右側面側の端部から左側面側の端部までの範囲で、係止突起１６よりも背面側となる領域）に形成されているといえる。
【０１１９】
また、差込み部３０は、前後方向に細長の略長方形状の略板状を呈し、板状の本体部３２の上面に水返し３４と被係止部３６を形成した構成となっている。すなわち、水返し３４は、本体部３２の左側面側の辺部における被係止部３６の形成位置を除いた辺部と、背面側の辺部とに沿って上方に突出して形成されている。また、被係止部３６は、水返し３４の正面側の端部から連設して形成され、平面視で略逆コ字状に形成され、被係止部３６は、屋根面に施工された際に、他の屋根瓦１の係止突起５８と係合する。つまり、被係止部３６の左側面側には、係止突起５８の先端が配置される凹部３８が形成され、被係止部３６は、該凹部３８を形成するために回り込むように屈曲して形成されている。
【０１２０】
このように、屋根瓦１を屋根面に施工した際に、係止突起５８が被係止部３６と係合することにより、屋根瓦１が風により吹き飛ばされることを防止することができる。つまり、屋根瓦１を屋根面に施工する際に、釘孔６０ａ、６０ｂを介して、野地板３００の上面に流れ方向（図１９〜図２４に示すＲ１−Ｒ２方向）に所定間隔を介して設けられるとともに桁方向に設けられた桟木３１０に釘を打ち込むのみならず、係止突起５８を被係止部３６と係合させることにより、屋根瓦１が風により吹き飛ばされることを防止することができる。
【０１２１】
また、桟部４０は、板状部１２の右側面側の端部から連設され、右側面側に向けて上方に傾斜して形成された傾斜部４２と、傾斜部４２の右側面側の端部から連設された本体部４４を有している。本体部４４は、正面側の領域と水返し４６を形成した領域を除き、平板状をなし、本体部４４の正面側の領域は、正面側に向けて下方に湾曲した形状を呈し、水返し４６は、略コ字状に形成されている。
【０１２２】
また、尻部５０は、板状部１２の背面側の端部と、差込み部３０の背面側の部分と、桟部４０の背面側の部分とから連設され、背面側に向けて上方に傾斜して形成された傾斜部５２と、傾斜部５２の背面側の端部から連設された本体部５４と、本体部５４の上面から上方に突出して形成された係止突起５８とを有している。本体部５４は、両側に形成された下方突出部５６ａ、５６ｂの領域を除き、平板状をなし、下方突出部５６ａ、５６ｂは、下方に向けて尖った形状となっている。本体部５４の上面の両側には、釘孔６０ａ、６０ｂが形成されている。この釘孔６０ａ、６０ｂを介して、野地板３００又はその上に流れ方向に所定間隔を介して設けられた桟木３１０に釘を打ち込むことにより屋根瓦１が屋根に固定される。
【０１２３】
また、係止突起５８は、右側面側に切欠部５８ａを有するフック状を呈している。つまり、係止突起５８は、本体部５４の上面に突出して形成された基端部５８−１と、基端部５８−１の右側面側の面の上部から右側面側に突出して形成された突出部５８−２とを有している。以上のようにして、係止突起５８は、右側面側が開口した構成となっている。
【０１２４】
なお、屋根瓦１を屋根に施工された際には、差込み部３０は、右側面側に隣接する屋根瓦１の桟部４０に被覆され、桟部４０の背面側の端部と尻部５０とは、背面側に隣接して施工された他の屋根瓦１に被覆されるので、本体部１０の上面の領域と桟部４０の上面の背面側の端部を除く領域とが雨曝し部６０を構成する。
【０１２５】
なお、屋根瓦１は上記の構成であるとして説明したが、上記の構成に対して左右対称の構成としてもよい。
【０１２６】
上記構成の取付け構造体Ｐの施工方法について、図１９〜図２４を使用して説明する。まず、屋根瓦１を屋根面に施工していく。ここで、屋根面には、下地材である野地板３００の上面に複数の桟木３１０が固定されている。つまり、桟木３１０は、桁方向に設けられ、流れ方向に間隔を介して設けられている。なお、桟木３１０の構成を省略して、野地板３００に直接屋根瓦１を施工してもよい。
【０１２７】
屋根瓦１の釘孔６０ａ、６０ｂに釘を挿通して、桟木３１０ａに打ち付けて任意の屋根瓦１ａ（図１９参照）を施工したとする。その後、屋根瓦１ａの左側に隣接して施工する屋根瓦１ｂの桟部４０を屋根瓦１ａの差込み部３０に被せて、屋根瓦１ｂの釘孔６０ａ、６０ｂに釘を挿通して、桟木３１０ａに打ち付けて屋根瓦１ｂを施工する。以上の工程を繰り返して、屋根瓦１を桁方向に施工していく。なお、上記の説明では、施工した屋根瓦の左隣りに屋根瓦を順次施工していくとしたが、逆方向に施工してもよく、施工した屋根瓦１の右側に施工する屋根瓦１の差込み部３０をすでに施工した屋根瓦１の桟部４０に差し込むようにして順次屋根瓦を施工してもよい。
【０１２８】
次に、施工された屋根瓦１の尻部側に施工する屋根瓦１を施工する際には、屋根瓦１の差込み部３０の被係止部３６に係止突起５８を係止させて施工していく。例えば、図１９における屋根瓦１ｃを施工する際には、斜め左下に位置する屋根瓦１ｂの係止突起５８に被係止部３６を係止させて、桟木３１０ｂに釘孔６０ａ、６０ｂに挿通した釘を打ち込んで施工する。その後、屋根瓦１ｃの左側に隣接して屋根瓦１ｄを施工する。すなわち、屋根瓦１ｄの被係止部３６を斜め左下に位置する屋根瓦１ｂの係止突起５８に係止させるとともに、屋根瓦１ｄの桟部４０を屋根瓦１ｃの差込み部３０に被せた状態として、屋根瓦１ｄの釘孔６０ａ、６０ｂに釘を挿通し、桟木３１０ｂに釘を打ち付けて施工する。以上の工程を繰り返して、屋根瓦１ｃの桁方向に屋根瓦を施工していく。なお、上記と同様に、施工した屋根瓦の右隣りに屋根瓦を施工してもよい。
【０１２９】
以上のようにして、桁方向の屋根瓦１の施工を流れ方向で軒側（図１９におけるＲ１側）から順次棟側（図１９におけるＲ２側）に行って、図１９に示すように屋根瓦１を施工する。
【０１３０】
次に、屋根面に施工した各屋根瓦１に連結金具１０１を取り付ける。すなわち、連結金具１０１の正面側を屋根瓦１の頭部１４側として、係止突起１６を連結金具１０１の開口部１１２ａに挿通するとともに、弾性部１１４の先端部１１４ｂと弾性部１１６の先端部１１６ｂが屋根瓦１の上面に接した状態で、連結金具１０１を屋根瓦１側に押圧して、底板部１１１が突設部１８の上面部１８ａと突設部２０の上面部２０ａに接した状態とすることにより、弾性部１１４、１１６が上方に回動して、図２０（ａ）に示す状態となる。すなわち、弾性部１１４が開口部１１２ｂから上方に突出した状態となり、弾性部１１６が開口部１１２ｃから上方に突出した状態となる。この状態では、先端部１１４ｂは、溝部１８ｆの背面側にあり、突設部１８の背面部１８ｅに接した状態となり、先端部１１６ｂは、溝部２０ｆの背面側にあり、突設部２０の背面部２０ｅに接した状態となる。
【０１３１】
その後、連結金具１０１を屋根瓦１の頭部側にスライドさせることにより、開口部１１２ａの背面側の縁部１１３が係止突起１６の切欠部１６ｆ内に入り込んで、図２０（ｂ）に示す状態となる。
【０１３２】
その後、さらに、連結金具１０１を屋根瓦１の頭部側にスライドさせることにより、弾性部１１４の先端部１１４ｂが溝部１８ｆに嵌合するとともに、弾性部１１６の先端部１１６ｂが溝部２０ｆに嵌合して、図２０（ｃ）に示す状態となる。
【０１３３】
なお、先端部１１４ｂが溝部１８ｆに嵌合し、先端部１１６ｂが溝部２０ｆに嵌合した状態では、開口部１１２ａの背面側の縁部１１３は、切欠部１６ｆの奥部（正面側の端部）に位置し、底板部１１１は、係止突起１６に係止する。以上のようにして、連結金具１０１が屋根瓦１に係止・固定することにより、屋根瓦１に取り付けられる。ここで、「係止・固定」とは、図２０（ｂ）に示すように、連結金具１０１の縁部１１３が係止突起１６に係止されてから、先端部１１４ｂが溝部１８ｆに嵌合するとともに、先端部１１６ｂが溝部２０ｆに嵌合することにより、連結金具１０１が屋根瓦１に固定されることを意味している。連結金具１０１を屋根瓦１に取り付けた状態では、図２１に示す状態となる。
【０１３４】
なお、連結金具１０１を屋根瓦１に取り付けた状態では、図２０（ｃ）に示すように、連結金具１０１の正面側（軒側）の端部と屋根瓦１の正面側（軒側）の端部とは、流れ方向において略同一の位置となる。なお、図２０、図２２においては、連結金具１０１は、切欠部ＫＢ１、ＫＢ２や突状部３２０は省略して描いている。
【０１３５】
連結金具１０１の取付けに際しては、１つの太陽電池モジュール２０１に対して２つの連結金具１０１を取り付けるように、所定の屋根瓦１に取り付けてもよいが、太陽電池モジュール２０１と係合する連結金具１０１を多くして確実に屋根面に施工するために、全ての屋根瓦１に連結金具１０１を取り付けるのが好ましい。
【０１３６】
次に、屋根瓦１に取り付けられた連結金具１０１に太陽電池モジュール２０１を取り付ける。なお、太陽電池モジュール２０１においては、長辺部２２２ａと長辺部２２２ｂのいずれを軒側とするかについては、後述するように、流れ方向に交互に長辺部２２２ａ側と長辺部２２２ｂ側を軒側とする。
【０１３７】
まず、太陽電池モジュール２０１の連結金具１０１への取付け方法について説明する。なお、図２２において、取付け対象の太陽電池モジュールを太陽電池モジュール２０１ａとし、取付け対象の太陽電池モジュール２０１ａの棟側に設置されている太陽電池モジュールを太陽電池モジュール２０１ｂとし、太陽電池モジュール２０１ａを取り付ける連結金具を連結金具１０１ａとし、太陽電池モジュール２０１ｂが取り付けられた連結金具を連結金具１０１ｂとする。
【０１３８】
まず、図２２（ａ）に示すように、太陽電池モジュール２０１ａを本来の太陽電池モジュール２０１ａの設置方向に対して軒側（長辺部２２２ａ側）を棟側（長辺部２２２ｂ側）に対して上方に持ち上げた状態として、太陽電池モジュール２０１ａの棟側を連結金具１０１ａ（太陽電池モジュール２０１を取り付ける連結金具）と棟側に隣接して設けられた太陽電池モジュール２０１ｂ間の隙間に挿入して、長辺部２２２ｂの金具係止部２３４の爪部２３４ｂを連結金具１０１ａの係止部１５４に係止させる。なお、長辺部２２２ｂの金具係止部２３４の爪部２３４ｂを連結金具１０１ａの係止部１５４に係止させたら、その状態で、コネクタ２１７を隣接するコネクタ２１９と接続し、コネクタ２１９を隣接する太陽電池モジュール２１０の連結金具１０１に接続する。詳細は後述する。
【０１３９】
その後、図２２（ｂ）に示すように、太陽電池モジュール２０１ａの軒側を下方に回動させる。つまり、爪部２３４ｂと係止部１５４の係合箇所を中心として、太陽電池モジュール２０１ａを下方に回動させる。なお、屋根瓦１や連結金具１０１ａは屋根面において傾斜しているので、太陽電池モジュール２０１ａを下方に回動させていくと、太陽電池モジュール２０１ａも軒側に傾斜した状態となり、太陽電池モジュール２０１ａの自重により係止部１５４と爪部２３４ｂの係合は強固となる。
【０１４０】
その後、図２２（ｃ）に示すように、長辺部２２２ａの金具係止部２３４の爪部２３４ｂが側壁部１４０の先端板部１４２ｃに接するので、太陽電池モジュール２０１ａの軒側を下方に押し込んでいくと、爪部２３４ｂは先端板部１４２ｃの外側の面に案内されて、下方にスライドしていく。
【０１４１】
その後、長辺部２２２ａの金具係止部２３４の爪部２３４ｂが係止部１４４に係合し、図２２（ｄ）の状態となる。
【０１４２】
以上のようにして、太陽電池モジュール２０１を連結金具１０１に係止・固定することにより、連結金具１０１に取り付けられ、太陽電池モジュール２０１が連結金具１０１に支持される。ここで、「係止・固定」とは、図２２（ａ）に示すように、長辺部２２２ｂの爪部２３４ｂが係止部１５４に係止されてから、長辺部２２２ａの爪部２３４ｂが係止部１４４に係止することにより、太陽電池モジュール２０１が連結金具１０１に固定されることを意味している。太陽電池モジュール２０１を連結金具１０１に取り付けた状態では、図２２（ｄ）に示す状態となる。
【０１４３】
なお、図２２では、屋根瓦１ａ及び連結金具１０１ａは、屋根瓦１ｂ及び連結金具１０１ｂに対して、実際には図１９に示すように桁方向（軒側から見て右方向）にずれて設けられていて、図２２において、屋根瓦１ａ及び連結金具１０１ａについての切断線と、屋根瓦１ｂ及び連結金具１０１ｂについての切断線とは桁方向にずれている。つまり、屋根瓦が、流れ方向で隣接する屋根瓦について屋根瓦の働き幅の１／２ずれて施工される、いわゆる千鳥葺きとなっている。
【０１４４】
なお、上記のように、ケーブル２１６の長さとケーブル２１８の長さは異なるように構成されているので、太陽電池モジュール２０１の長辺部２２２ａと長辺部２２２ｂの一方と他方を流れ方向に交互に軒側とすることにより、流れ方向に複数設置された太陽電池モジュール２０１において、短辺部を揃えて施工することができる。
【０１４５】
すなわち、図２３に示すように、流れ方向に棟側の太陽電池モジュール２０１−３では、長辺部２２２ｂが軒側であり、太陽電池モジュール２０１−３の軒側に隣接する太陽電池モジュール２０１−２では、長辺部２２２ａ側が軒側であり、太陽電池モジュール２０１−２の軒側に隣接する太陽電池モジュール２０１−１では、長辺部２２２ｂ側が軒側となっている。
【０１４６】
また、各太陽電池モジュール２０１−１〜２０１−３は、ともに、桁方向に連設された４つの連結金具１０１（桁方向に連設された４つの屋根瓦１０１に取り付けられた連結金具）に取り付けられている。なお、屋根瓦に取り付けられた全ての連結金具１０１は、いずれかの太陽電池モジュール２０１に取り付けられるものとし、桁方向に設けられた複数の連結金具１０１おいても、全ての連結金具１０１は、いずれかの太陽電池モジュール２０１に取り付けられるものとする。そして、太陽電池モジュール２０１−１と太陽電池モジュール２０１−３において、最も右側の連結金具１０１の中心位置と短辺部２２４ａの外側の端部間の長さＬ２１と、太陽電池モジュール２０１−２において、最も左側の連結金具１０１の中心位置と短辺部２２４ａの外側の端部間の長さＬ２２とは同一（略同一でもよい）とすることにより、太陽電池モジュール２０１−１〜太陽電池モジュール２０１−３の各短辺部の桁方向の位置を一致させることができる。
【０１４７】
流れ方向において各位置の太陽電池モジュールの上下方向の向きは、同じ向きとし、例えば、太陽電池モジュール２０１−１の桁方向に施工される太陽電池モジュールは、太陽電池モジュール２０１−１と同様に、長辺部２２２ａを上側として施工し、一方、太陽電池モジュール２０１−２の桁方向に施工される太陽電池モジュールは、太陽電池モジュール２０１−２と同様に、長辺部２２２ｂを上側として施工する。流れ方向に連設される複数の太陽電池モジュールにおいては、軒側から順に施工していく。
【０１４８】
そして、流れ方向における所定の位置においては、コネクタ（雌コネクタ）２１９が太陽電池モジュール２０１から突出する方向に順次太陽電池モジュール２０１を施工していく。つまり、ある太陽電池モジュール２０１を施工する際に、コネクタ２１９を太陽電池モジュール２０１の下方位置から露出した状態としておき、４つの連結金具１０１に取り付けて施工し、その後、コネクタ２１９を隣接する太陽電池モジュール２０１が取り付けられる連結金具１０１のうち最も太陽電池モジュール２０１に近い連結金具１０１に取り付ける。例えば、図２３の太陽電池モジュール２０１−１の例では、コネクタ２１９は、Ｘ１側に隣接する太陽電池モジュール（第１隣接太陽電池モジュール）が取り付けられる連結金具（第１近接連結具）１０１−５に取り付ける。なお、コネクタ２１９の連結金具１０１への取付けに際しては、コネクタ２１９の先端が連結金具１０１の外側を向くように取り付ける。例えば、太陽電池モジュール２０１−１のコネクタ２１９を連結金具１０１−５に取り付ける際には、連結金具１０１−５の側壁部１３０の係止部３７０に取り付ける。なお、太陽電池モジュール２０１−１を取付け位置で斜めにした状態（図２２（ａ）の太陽電池モジュール２０１ａの状態）で、コネクタ２１９を連結金具１０１に取り付けて、その後、太陽電池モジュール２０１−１を４つの連結金具１０１に取り付けてもよい。
【０１４９】
その後、コネクタ２１９に接続するコネクタ２１７が設けられた太陽電池モジュール２０１（つまり、桁方向にコネクタ２１９側に隣接して施工する太陽電池モジュール）を取付け位置で斜めにした状態（図２２（ａ）の太陽電池モジュール２０１ａの状態）として、コネクタ２１７をコネクタ２１９に接続する。例えば、図２３の太陽電池モジュール２０−１を図２４の太陽電池モジュール２０１−２１とし、太陽電池モジュール２０１−２１の次に太陽電池モジュール２０１−１１を施工する場合には、太陽電池モジュール２０１−１１を斜めにした状態でコネクタ２１７を太陽電池モジュール２０１−１２のコネクタ２１９（コネクタ２１９は連結金具１０１に取り付けられている）に接続する。なお、図２２（ａ）の太陽電池モジュール２０１ａの状態の際に、コネクタ２１９は太陽電池モジュール２０１の下方位置から露出する位置に引き出しておく。以上の作業を繰り返して、太陽電池モジュール２０１を桁方向に施工していく。
【０１５０】
次に、軒側に隣接する太陽電池モジュール２０１を施工する際には、棟側に隣接して施工されている太陽電池モジュール２０１において、外側に引き出されているコネクタ２１９を最も近い連結金具１０１に取り付ける。図２３において、太陽電池モジュール２０１−１〜２０１−３が桁方向に施工された複数の太陽電池モジュールのうちＸ１側の端部に施工される太陽電池モジュールの場合には、太陽電池モジュール２０１−３のコネクタ２１９を連結金具１０１−１４にコネクタ２１９の先端をＸ２側に突出させて取り付ける。つまり、連結金具１０１の右側面側の側壁部１２０の係止部３６０に取り付ける。そして、太陽電池モジュール２０１−２を図２２（ａ）の太陽電池モジュール２０１ａの状態にして、太陽電池モジュール２０１−２のコネクタ２１７を連結金具１０１−１４に取り付けられたコネクタ２１９と接続する。その後は、上記と同様に、太陽電池モジュール２０１を施工していくが、太陽電池モジュール２０１−２の位置では、Ｘ２方向に太陽電池モジュール２０１を順次施工していく。以上のように、コネクタ２１９とコネクタ２１７において、連結金具１０１に取り付けるのは、コネクタ２１９であり（つまり、一対のケーブルにおける長い方のケーブルに設けられたコネクタである）、コネクタ２１７は、連結金具１０１に取り付けられたコネクタ２１９に接続する。
【０１５１】
例えば、図２４に示すように、流れ方向に３列で桁方向に３つの太陽電池モジュールを施工する際には、最も棟側の太陽電池モジュールの長辺部２２２ａ側を棟側としているので、太陽電池モジュール２０１−３３、２０１−２３、２０１−１３、２０１−１２、２０１−２２、２０１−３２、２０１−３１、２０１−２１、２０１−１１の順に施工していくことになる。そして、太陽電池モジュールにおける各ケーブル２１６、２１８は、図２４に示すように、太陽電池モジュール２０１−３３から太陽電池モジュール２０１−１１まで蛇行して直列となるので、地上等に設置する接続箱に連結する。
【０１５２】
なお、太陽電池モジュール２０１を連結金具１０１に取り付けた際には、帯板部１２２、１３２とモジュール本体２１２の底面間には、間隔が形成されるので、コネクタ２１９はフレーム２２０の直下や端子箱２１４の直下には設けないので、連結金具１０１に取り付けたコネクタ２１９が太陽電池モジュール２０１を施工する際に支障となることがない。
【０１５３】
なお、アース端子５０２については、ケーブル５００（図８参照）の両端にアース端子５０２が取り付けられたアース線を用いるが、１つの太陽電池モジュール２０１が取り付けられる４つの連結金具１０１のうちの少なくとも１つに一方のアース端子５０２を取付け、他方のアース端子５０２は、他の太陽電池モジュール２０１が取り付けられる４つの連結金具１０１のうちの少なくとも１つに取り付ける。つまり、太陽電池モジュール２０１のフレーム２２０は金属製であるので、４つの連結金具１０１のうちのいずれかにアース端子５０２を接続すれば、フレーム２２０と他の３つの連結金具１０１とは電気的に接続される。そして、隣接する太陽電池モジュール２０１間にアース線を取り付けて、１本のアース線をアースする。例えば、図２４の例では、太陽電池モジュール２０１−１３と太陽電池モジュール２０１−２３間、太陽電池モジュール２０１−２３と太陽電池モジュール２０１−３３間、太陽電池モジュール２０１−１２と太陽電池モジュール２０１−２２間、太陽電池モジュール２０１−２２と太陽電池モジュール２０１−３２間、太陽電池モジュール２０１−１１と太陽電池モジュール２０１−２１間、太陽電池モジュール２０１−２１と太陽電池モジュール２０１−３１間にアース線を取り付け、さらに、太陽電池モジュール２０１−３３と太陽電池モジュール２０１−３２間、太陽電池モジュール２０１−３２と太陽電池モジュール２０１−３１間にアース線を取り付けて、太陽電池モジュール２０１−３１から地上にアースする。
【０１５４】
このようなアース線の取付け（すなわち、アース端子５０２の取付け）は、連結金具１０１を屋根瓦１に施工した状態で行なってもよいし、太陽電池モジュール２０１を施工する際に、図２２（ａ）の太陽電池モジュール２０１ａの状態で行なってもよい。
【０１５５】
なお、図２３においては、図面を見やすくするために、モジュール本体２１２とフレーム２２０は一点鎖線により描いており、また、太陽電池モジュール２１０−１における略正方形状の部分は各セルの輪郭を示している。
【０１５６】
以上のように、本実施例の連結金具１０１においては、コネクタ２１９、２１７を取り付けるための係止部３６０、３７０が設けられているので、コネクタ２１９、２１７（特に、コネクタ２１９）を連結金具１０１に取り付けることができ、コネクタ２１９、２１７を連結金具１０１の予め決められた位置（すなわち、係止部３６０や係止部３７０の位置）に固定できるので、コネクタ２１９を係止部３６０（又は係止部３７０）に固定しておくことにより、コネクタ２１７の接続を容易とすることができ、太陽電池モジュール２０１を容易に施工することができる。
【０１５７】
また、特開２００６−１２５０８４号に示す連結金具の場合と異なり、ケーブルを固定する構成ではないので、ケーブルを破損することがない。また、係止部３６０や係止部３７０にコネクタ２１９（２１７）を取り付けても、太陽電池モジュール２０１を施工する際に、太陽電池モジュール２０１と接触しないので（特に、フレーム２２０や端子箱２１４は接触しない）、コネクタ２１９、２１７が太陽電池モジュール２０１を施工する際の支障となることがない。
【０１５８】
また、本実施例の連結金具１０１においては、アース端子５０２を取り付けるための係止部３０２、３０４が設けられているので、各太陽電池モジュール間にアース線を容易に取り付けることができ、結果として、太陽電池モジュール２０１を容易に施工することができる。
【０１５９】
特に、特開２００６−５７３２１号の場合には、桁方向に隣接する太陽電池パネル間に電気的に接続するように保護板（化粧板）を設け（保護板の取付けには、ビスが必要となる）、流れ方向に隣接する太陽電池パネル間にアースケーブルを取り付けているが、本実施例では、アース端子５０２を連結金具１０１に取り付けることにより、アース端子５０２を係止部３０２、３０４に差し込むことにより容易に取り付けることができ、また、桁方向に隣接する太陽電池モジュール間及び流れ方向に隣接する太陽電池モジュール間にもアース線を取り付けることができるので、容易にアースを行なうことができる。
【０１６０】
また、本実施例の太陽電池モジュール２０１においては、一対のケーブル２１６、２１８の長さを異なる長さとし、長い方のケーブル２１８が、平面視において、太陽電池モジュール２０１の短辺部２２４ｂからはみ出るので、ケーブル２１８の先端のコネクタ２１９を隣接する太陽電池モジュール２０１の連結金具１０１に取り付けた後に、該隣接する太陽電池モジュール２０１のコネクタ２１７をコネクタ２１９と接続する作業を繰り返しながら、コネクタ２１９の方向の桁方向に施工していくので、ケーブル２１６、２１８の配線が容易となり、太陽電池モジュール２０１を容易に施工することができる。
【０１６１】
また、一対のケーブル２１６、２１８の長さを異なる長さとし、流れ方向に交互に長辺部２２２ａ側と長辺部２２２ｂ側を軒側として太陽電池モジュール２０１を設置することにより、流れ方向に隣接する太陽電池モジュール２０１の短辺部の桁方向の位置を揃えることができ、複数の太陽電池モジュール２０１を施工した際に見栄えをよくすることができる。つまり、図１９に示すように、屋根瓦１は、流れ方向に隣接する屋根瓦１に対して桁方向にずれて設けられるので、連結金具１０１も流れ方向に隣接する屋根瓦１に取り付けられた連結金具１０１に対して桁方向にずれて設けられ、太陽電池モジュール２０１における一対のケーブルの長さを同一にした場合（これを太陽電池モジュール２０１’とする）には、通常は、図２５に示すように流れ方向に隣接する太陽電池モジュール２０１’は桁方向にずれてしまい、桁方向に短辺部の位置を揃えようとすると、一対のケーブルの長さを、ともに、平面視において、太陽電池モジュール２０１’の短辺部からはみ出る長さにしておく必要があり、ケーブルの長さが余ってしまい、余分な長さのケーブルが存在する（つまり、一対のケーブルが短辺部からはみ出るほど長いので、はみ出た長さの２倍の長さが余分となる）ので、余分な長さ分のケーブルを配置しなければならず、太陽電池モジュールの施工が容易でないという問題があるが、本実施例の場合には、余分な長さのケーブルは存在せず（又は余分な長さのケーブルをなるべく少なくすることができ）、太陽電池モジュール２０１を容易に施工することができる。流れ方向に隣接する太陽電池モジュール２０１の短辺部の桁方向の位置を揃えることができるので、太陽電池モジュールを施工する際に、短辺部の桁方向の位置を揃えればよくその点でも、太陽電池モジュールを容易に施工することができる。
【０１６２】
なお、上記の説明では、ケーブル２１６にコネクタ（雄コネクタ）２１７が設けられ、ケーブル２１８にコネクタ（雌コネクタ）２１９が設けられるとしたが、ケーブル２１６にコネクタ（雌コネクタ）２１９を設け、ケーブル２１８にコネクタ（雄コネクタ）２１８を設けてもよい。その場合には、一対のケーブルにおいて長い方のケーブル２１８に設けられたコネクタ２１７が連結金具１０１に取り付けられ、コネクタ２１９は、連結金具１０１に取り付けられたコネクタ２１７に接続することになる。
【０１６３】
なお、図１５、図１６において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。また、図２３、図２４において、Ｘ１−Ｘ２方向（桁方向）は、Ｒ１−Ｒ２方向（流れ方向）に直角な方向である。
【符号の説明】
【０１６４】
１  屋根瓦
１０  本体部
１４  頭部
１６、５８  係止突起
１６ｆ  切欠部
１８、２０  突設部
１８ｆ、２０ｆ  溝部
３０  差込み部
４０  桟部
５０  尻部
１０１  連結金具
１１０  底面部
１１１  底板部
１１２ａ  開口部
１１４、１１６  弾性部
１１４ａ  弾性部本体
１１４ｂ  先端部
１２０、１３０、１４０、１５０  側壁部
１２１、１３１、１４２、１４４  側板部
１２２、１２２ａ、１２２ｂ、１２２ｃ、１３２、１３２ａ、１３２ｂ、１３２ｃ  帯板部
１２４、１３４  傾斜板部
１２６、１２８、１３６、１３８  受け板部
１４２ａ、１５２ａ  本体板部
１４２ｂ、１５２ｂ  中間板部
１４２ｃ、１５２ｃ  先端板部
１４４、１５４  係止部
１４４ａ、１５４ａ  下端部
２０１  太陽電池モジュール
２１０  主構成部
２１４  端子箱
２１６、２１８  ケーブル
２１７、２１９  コネクタ
２２０  フレーム
２２２ａ、２２２ｂ  長辺部
２２４ａ、２２４ｂ  短辺部
２３０  支持部
２３１  支持部本体
２３２  係止部
２３４  金具係止部
２３４ａ  係止部本体
２３４ｂ  爪部
３０２、３０４、３６０、３７０  係止部
３１０、３２０  突状部
３６２、３６４、３７２、３７４  突出部
４２０、４２２、４２４、４７０、４７４  凹部
５０２  アース端子
【図１】
2014070346.tif 000003
【図２】
2014070346.tif 000004
【図３】
2014070346.tif 000005
【図４】
2014070346.tif 000006
【図５】
2014070346.tif 000007
【図６】
2014070346.tif 000008
【図７】
2014070346.tif 000009
【図８】
2014070346.tif 000010
【図９】
2014070346.tif 000011
【図１０】
2014070346.tif 000012
【図１１】
2014070346.tif 000013
【図１２】
2014070346.tif 000014
【図１３】
2014070346.tif 000015
【図１４】
2014070346.tif 000016
【図１５】
2014070346.tif 000017
【図１６】
2014070346.tif 000018
【図１７】
2014070346.tif 000019
【図１８】
2014070346.tif 000020
【図１９】
2014070346.tif 000021
【図２０】
2014070346.tif 000022
【図２１】
2014070346.tif 000023
【図２２】
2014070346.tif 000024
【図２３】
2014070346.tif 000025
【図２４】
2014070346.tif 000026
【図２５】
2014070346.tif 000027